(57)【要約】  有機エレクトロルミネッセンス素子は、基板１の表面に、第１電極７と有機発光層８と第２電極９とをこの順で有する有機発光体１０が形成され、有機発光体１０は、基板１に接着された封止材２によって覆われて封止されたものである。基板１の端部表面に、第１電極７及び第２電極９の少なくとも一方と電気的に接続された電極引き出し部５が、封止材２よりも外側に引き出されて設けられている。封止材２の基板１とは反対側に、取出し電極１１が電極片３によって設けられている。電極片３の延伸部が電極引き出し部５に固定されることにより、電極片３と電極引き出し部５とが電気的に接続されている。
2013187065.tif 000002
【特許請求の範囲】
【請求項１】
基板の表面に、第１電極と有機発光層と第２電極とをこの順で有する有機発光体が形成され、前記有機発光体は、前記基板に接着された封止材によって覆われて封止されている有機エレクトロルミネッセンス素子であって、
前記基板の端部表面に、前記第１電極及び前記第２電極の少なくとも一方と電気的に接続された電極引き出し部が、前記封止材よりも外側に引き出されて設けられ、
前記封止材の前記基板とは反対側に、取出し電極が電極片によって設けられ、
前記電極片の延伸部が前記電極引き出し部に固定されることにより、前記電極片と前記電極引き出し部とが電気的に接続されていることを特徴とする、有機エレクトロルミネッセンス素子。
【請求項２】
前記電極片は、前記基板の両端部に設けられ、
前記電極片は、平面視において水平方向の位置が異なるように配置されていることを特徴とする、請求項１に記載の有機エレクトロルミネッセンス素子。
【請求項３】
前記基板の側部に、絶縁バリア体が設けられ、
前記絶縁バリア体は、前記基板の表面に垂直な方向において、前記電極引き出し部よりも突出していることを特徴とする、請求項１又は２に記載の有機エレクトロルミネッセンス素子。
【請求項４】
前記絶縁バリア体は、前記基板の表面に垂直な方向において、前記基板の前記封止材が接着された面とは反対側の面において突出していないことを特徴とする、請求項３に記載の有機エレクトロルミネッセンス素子。
【請求項５】
前記電極片は、前記基板の複数の端部に設けられ、
前記基板の前記複数の端部のうちの半分以上の端部の位置における前記基板の側部に、前記絶縁バリア体が設けられていることを特徴とする、請求項３又は４に記載の有機エレクトロルミネッセンス素子。
【請求項６】
前記電極片は、前記基板の複数の端部に設けられ、
前記基板の前記複数の端部のうちの全部の端部の位置における前記基板の側部に、前記絶縁バリア体が設けられていることを特徴とする、請求項３又は４に記載の有機エレクトロルミネッセンス素子。
【請求項７】
前記絶縁バリア体と前記封止材との間に、樹脂が充填されていることを特徴とする、請求項３〜６のいずれか１項に記載の有機エレクトロルミネッセンス素子。
【請求項８】
前記絶縁バリア体は、前記基板の表面に垂直な方向において、前記電極片よりも突出していることを特徴とする、請求項３〜７のいずれか１項に記載の有機エレクトロルミネッセンス素子。
【請求項９】
前記電極片は、少なくとも前記基板に向かって延伸する前記延伸部の外部側表面が絶縁被覆体で被覆されていることを特徴とする、請求項１〜８のいずれか１項に記載の有機エレクトロルミネッセンス素子。
【請求項１０】
前記絶縁被覆体は、厚みが０．１ｍｍ以上であることを特徴とする、請求項９に記載の有機エレクトロルミネッセンス素子。
【請求項１１】
前記絶縁被覆体は、前記電極片の前記延伸部の先端よりも前記基板側にはみ出していることを特徴とする、請求項９又は１０に記載の有機エレクトロルミネッセンス素子。
【請求項１２】
前記電極片の前記延伸部、前記絶縁被覆体、又は、前記電極片と前記絶縁被覆体との間に、前記基板側に開口する間隙を有することを特徴とする、請求項９〜１１のいずれか１項に記載の有機エレクトロルミネッセンス素子。
【請求項１３】
前記絶縁被覆体における前記電極片の前記延伸部の先端よりもはみ出した絶縁はみ出し部は、外方に膨らんでいることを特徴とする、請求項９〜１２のいずれか１項に記載の有機エレクトロルミネッセンス素子。
【請求項１４】
前記電極片の前記延伸部は、前記電極引き出し部に押し当てられて固定されていることを特徴とする、請求項１〜１３のいずれか１項に記載の有機エレクトロルミネッセンス素子。
【請求項１５】
前記電極片の前記延伸部は、前記電極引き出し部に導電性ペーストによって形成された導電固定部によって固定されていることを特徴とする、請求項１〜１４のいずれか１項に記載の有機エレクトロルミネッセンス素子。
【請求項１６】
前記導電固定部は、前記電極片における前記延伸部の封止材側の面に接して形成されていることを特徴とする、請求項１５に記載の有機エレクトロルミネッセンス素子。
【請求項１７】
前記導電固定部は、前記封止材の側面に接して形成されていることを特徴とする、請求項１５又は１６に記載の有機エレクトロルミネッセンス素子。
【請求項１８】
前記電極片は、導電性ペーストによって形成された導電接着部によって前記封止材に固定されていることを特徴とする、請求項１５〜１７のいずれか１項に記載の有機エレクトロルミネッセンス素子。
【請求項１９】
前記導電固定部と前記導電接着部とが連結していることを特徴とする、請求項１８に記載の有機エレクトロルミネッセンス素子。
【請求項２０】
前記封止材の表面に取出し電極拡張部が設けられ、前記電極片は、前記導電接着部によって前記取出し電極拡張部に接着されていることを特徴とする、請求項１８又は１９に記載の有機エレクトロルミネッセンス素子。
【請求項２１】
前記封止材の表面に配線板を備え、
前記配線板の表面に取出し電極拡張部が設けられ、前記電極片は、導電接続部によって前記取出し電極拡張部に電気的に接続されていることを特徴とする、請求項１５〜２０のいずれか１項に記載の有機エレクトロルミネッセンス素子。
【請求項２２】
前記取出し電極拡張部は、前記配線板の前記封止材側の表面に設けられ、
前記取出し電極拡張部は、平面視において、前記封止材と重複する位置に配置されていることを特徴とする、請求項２１に記載の有機エレクトロルミネッセンス素子。
【請求項２３】
前記取出し電極拡張部は、平面視において、前記電極片よりも内側に配置されていることを特徴とする、請求項２１又は２２に記載の有機エレクトロルミネッセンス素子。
【請求項２４】
前記電極片と前記取出し電極拡張部とが、前記導電接続部を構成する可撓性導電体によって電気的に接続されていることを特徴とする、請求項２１〜２３のいずれか１項に記載の有機エレクトロルミネッセンス素子。
【請求項２５】
前記基板における前記電極引き出し部の外側に、絶縁性を有する絶縁壁部が設けられていることを特徴とする、請求項１５〜２４のいずれか１項に記載の有機エレクトロルミネッセンス素子。
【請求項２６】
前記基板の表面と側面との境界部に、前記電極引き出し部よりも外側の位置において、段部が形成され、
前記絶縁壁部は、前記段部の表面に接して形成され、
前記導電固定部は、前記絶縁壁部に接していることを特徴とする、請求項２５に記載の有機エレクトロルミネッセンス素子。
【請求項２７】
前記電極片は、前記基板の表面に平行な方向に対しての応力を緩和する応力緩和構造を有することを特徴とする、請求項１〜２６のいずれか１項に記載の有機エレクトロルミネッセンス素子。
【請求項２８】
前記応力緩和構造は、前記電極片に設けられた開口部により構成されていることを特徴とする、請求項２７に記載の有機エレクトロルミネッセンス素子。
【請求項２９】
前記応力緩和構造は、前記電極片に設けられた切欠部により構成されていることを特徴とする、請求項２７に記載の有機エレクトロルミネッセンス素子。
【請求項３０】
前記応力緩和構造は、前記電極片に設けられた複数の切欠部により構成され、
前記複数の切欠部は、前記電極片がＳ字状の部分を有するように設けられていることを特徴とする、請求項２７に記載の有機エレクトロルミネッセンス素子。
【請求項３１】
前記応力緩和構造は、前記電極片に設けられた波形構造により構成されていることを特徴とする、請求項２７に記載の有機エレクトロルミネッセンス素子。
【請求項３２】
前記応力緩和構造は、前記電極片における前記基板の表面に垂直な方向に沿った部分と前記基板の表面に平行な方向に沿った部分との境界である屈曲部が、前記電極片の表面から外方に突出して構成されていることを特徴とする、請求項２７に記載の有機エレクトロルミネッセンス素子。
【請求項３３】
前記電極片は、前記封止材の表面から側面に沿う形状に屈曲して形成されていることを特徴とする、請求項１〜３２のいずれか１項に記載の有機エレクトロルミネッセンス素子。
【請求項３４】
前記電極片は、前記電極引き出し部に固定される位置よりも外側にはみ出した端子部を有することを特徴とする、請求項１〜３３のいずれか１項に記載の有機エレクトロルミネッセンス素子。
【請求項３５】
前記電極片と前記電極引き出し部とは、境界部分において導電性を有する複数の突起が押し潰されて接続されていることを特徴とする、請求項１〜３４のいずれか１項に記載の有機エレクトロルミネッセンス素子。
【請求項３６】
前記電極片と前記電極引き出し部とは、境界部分又は境界部分近傍において導電性を有する弾性部が押し付けられて接続されていることを特徴とする、請求項１〜３４のいずれか１項に記載の有機エレクトロルミネッセンス素子。
【請求項３７】
前記電極片は一体に形成されていることを特徴とする、請求項１〜３６のいずれか１項に記載の有機エレクトロルミネッセンス素子。
【請求項３８】
前記電極片は、前記封止材の前記基板とは反対側の面において接合されていることを特徴とする、請求項１〜３７のいずれか１項に記載の有機エレクトロルミネッセンス素子。
【請求項３９】
前記電極片は、前記封止材の前記基板とは反対側の面に設けられた電極片支持体により支持されて固定されていることを特徴とする、請求項１〜３８のいずれか１項に記載の有機エレクトロルミネッセンス素子。
【請求項４０】
前記電極片は板バネ構造を有しており、前記板バネ構造の付勢により前記電極片の延伸部が前記電極引き出し部に押し当てられていることを特徴とする、請求項１〜３９のいずれか１項に記載の有機エレクトロルミネッセンス素子。
【請求項４１】
請求項１〜４０のいずれか１項に記載の有機エレクトロルミネッセンス素子を備えた照明装置。
【発明の詳細な説明】
【技術分野】
【０００１】
本発明は、有機エレクトロルミネッセンス素子及びそれを用いた照明装置に関する。
【背景技術】
【０００２】
近年、有機エレクトロルミネッセンス素子（以下「有機ＥＬ素子」ともいう）が照明パネルなどの用途に応用されている。有機ＥＬ素子としては、透光性の第１電極（陽極）と、発光層を含む複数の層により構成される有機層と、第２電極（陰極）とが、この順で透光性基板の表面に積層形成されたものが知られている。有機ＥＬ素子では、陽極と陰極の間に電圧を印加することによって、発光層で発した光が透光性の電極及び基板を通して外部に取り出される。
【先行技術文献】
【特許文献】
【０００３】
【特許文献１】特開２００９−２１７９８４号公報
【発明の概要】
【発明が解決しようとする課題】
【０００４】
図５８は、従来の有機ＥＬ素子の一例を示している。この有機ＥＬ素子は、基板１の表面に、第１電極７と、有機発光層８と、第２電極９とをこの順で有する有機発光体１０が形成され、有機発光体１０は、基板１に接着された封止材２によって覆われて封止されたものである。発光領域は、有機ＥＬ素子を基板１の表面に垂直な方向から見て平面視したときに、第１電極７と有機発光層８と第２電極９とが積層されている領域となる。また、平面視において封止材２で封止された領域が封止領域となる。図５８では、発光領域を領域Ｐで表している。また、封止領域を領域Ｑで表し、この封止領域よりも外側の領域である封止外領域を領域Ｔで表している。【０００５】
図５８（ｂ）及び（ｃ）に示すように、有機ＥＬ素子では、基板１の表面において、透明な導電層がパターン形状に形成され、このパターン形状の導電層の中央領域が、第１電極７として構成されている。また、この第１電極７の表面に、有機発光層８及び第２電極９を積層させることにより、有機発光体１０が形成されている。そして、封止材２によって有機発光体１０が封止されている。図５８（ｂ）では、封止材２の外周端部を二点鎖線Ｘで示している。【０００６】
ここで、有機ＥＬ素子では、第１電極７及び第２電極９を介して有機発光層８に電気を供給するために、通常、各電極と電気的に接続される電極引き出し部５を有機ＥＬ素子の端部に設け、この電極引き出し部５に電気を供給することが行われている。電極引き出し部５は、第１電極７と電気的に接続する第１電極引き出し部５ａと、第２電極９と電気的に接続する第２電極引き出し部５ｂとによって構成されている。図５８（ｃ）では、素子構造が分かりやすいように、右側に第１電極引き出し部５ａ側の端部を表し、左側に第２電極引き出し部５ｂ側の端部を表している。【０００７】
各電極引き出し部５の表面には、取出し電極１１が形成されている。取出し電極１１は、基板１表面における封止材２よりもはみ出した部分である封止外領域（領域Ｔ）に設けられている。そして、取出し電極１１に外部電源を接続することにより有機発光層８に給電できるようにしている。この取出し電極１１は、外部電源との接続を行う電極端子であり、導電性が高いとともに、例えばワイヤボンディング性など電気接続に対する耐久性を有するものである。取出し電極１１を設けることにより外部電源との接続性を高めることができる。【０００８】
しかしながら、取出し電極１１が基板端部にせり出して配置されると、取出し電極１１は非発光の領域となるために、非発光領域の割合が増えてしまう。しかも、ワイヤボンディング接続など電気接続を行うためには、取出し電極１１に一定の領域面積を確保する必要があり、取出し電極１１の幅を小さくすることは困難である。そして、取出し電極１１によって外周部のスペースが占有されると、非発光領域が有機ＥＬ素子の外周において額縁状に形成されることになる。非発光領域の割合が大きくなると、有機ＥＬ素子の全体面積に対する面内の発光割合が小さくなり、面内の有効発光率が低下するおそれがある。【０００９】
特許文献１には、封止板に穴を設けてこの穴に外部端子を挿入して電極に接続する構造により、有機ＥＬ素子の発光面積を広げる技術が開示されている。しかしながら、この文献の方法では、封止板に穴を形成し、さらにこの穴に外部端子を挿入しなければならないため、簡単に素子を作製できなくなるといった問題がある。また、封止板の穴よりも外側には非発光の領域が形成されてしまうため、十分に発光領域を広げることができなくなるおそれがある。また、外部端子と電極との接続部分が穴に隠れてしまうため、外部端子と電極との接触性が確認しにくく、十分な接続信頼性が確保できなくなるおそれがある。【００１０】
本発明は、上記の事情に鑑みてなされたものであり、発光面積の割合が高く、作製が容易で接続信頼性に優れた有機エレクトロルミネッセンス素子及び照明装置を提供することを目的とするものである。
【課題を解決するための手段】
【００１１】
本発明に係る有機エレクトロルミネッセンス素子は、基板の表面に、第１電極と有機発光層と第２電極とをこの順で有する有機発光体が形成され、前記有機発光体は、前記基板に接着された封止材によって覆われて封止されている有機エレクトロルミネッセンス素子であって、前記基板の端部表面に、前記第１電極及び前記第２電極の少なくとも一方と電気的に接続された電極引き出し部が、前記封止材よりも外側に引き出されて設けられ、前記封止材の前記基板とは反対側に、取出し電極が電極片によって設けられ、前記電極片の延伸部が前記電極引き出し部に固定されることにより、前記電極片と前記電極引き出し部とが電気的に接続されていることを特徴とするものである。【００１２】
上記の有機エレクトロルミネッセンス素子にあっては、前記電極片は、前記基板の両端部に設けられ、前記電極片は、平面視において水平方向の位置が異なるように配置されていることが、好ましい一態様である。【００１３】
上記の有機エレクトロルミネッセンス素子にあっては、前記基板の側部に、絶縁バリア体が設けられ、前記絶縁バリア体は、前記基板の表面に垂直な方向において、前記電極引き出し部よりも突出していることが、好ましい一態様である。【００１４】
上記の有機エレクトロルミネッセンス素子にあっては、前記絶縁バリア体は、前記基板の表面に垂直な方向において、前記基板の前記封止材が接着された面とは反対側の面において突出していないことが、好ましい一態様である。【００１５】
上記の有機エレクトロルミネッセンス素子にあっては、前記電極片は、前記基板の複数の端部に設けられ、前記基板の前記複数の端部のうちの半分以上の端部の位置における前記基板の側部に、前記絶縁バリア体が設けられていることが、好ましい一態様である。【００１６】
上記の有機エレクトロルミネッセンス素子にあっては、前記電極片は、前記基板の複数の端部に設けられ、前記基板の前記複数の端部のうちの全部の端部の位置における前記基板の側部に、前記絶縁バリア体が設けられていることが、好ましい一態様である。【００１７】
上記の有機エレクトロルミネッセンス素子にあっては、前記絶縁バリア体と前記封止材との間に、樹脂が充填されていることが、好ましい一態様である。【００１８】
上記の有機エレクトロルミネッセンス素子にあっては、前記絶縁バリア体は、前記基板の表面に垂直な方向において、前記電極片よりも突出していることが、好ましい一態様である。【００１９】
上記の有機エレクトロルミネッセンス素子にあっては、前記電極片は、少なくとも前記基板に向かって延伸する前記延伸部の外部側表面が絶縁被覆体で被覆されていることが、好ましい一態様である。【００２０】
上記の有機エレクトロルミネッセンス素子にあっては、前記絶縁被覆体は、厚みが０．１ｍｍ以上であることが、好ましい一態様である。【００２１】
上記の有機エレクトロルミネッセンス素子にあっては、前記絶縁被覆体は、前記電極片の前記延伸部の先端よりも前記基板側にはみ出していることが、好ましい一態様である。【００２２】
上記の有機エレクトロルミネッセンス素子にあっては、前記電極片の前記延伸部、前記絶縁被覆体、又は、前記電極片と前記絶縁被覆体との間に、前記基板側に開口する間隙を有することが、好ましい一態様である。【００２３】
上記の有機エレクトロルミネッセンス素子にあっては、前記絶縁被覆体における前記電極片の前記延伸部の先端よりもはみ出した絶縁はみ出し部は、外方に膨らんでいることが、好ましい一態様である。【００２４】
上記の有機エレクトロルミネッセンス素子にあっては、前記電極片の前記延伸部は、前記電極引き出し部に押し当てられて固定されていることが、好ましい一態様である。【００２５】
上記の有機エレクトロルミネッセンス素子にあっては、前記電極片の前記延伸部は、前記電極引き出し部に導電性ペーストによって形成された導電固定部によって固定されていることが、好ましい一態様である。【００２６】
上記の有機エレクトロルミネッセンス素子にあっては、前記導電固定部は、前記電極片における前記延伸部の封止材側の面に接して形成されていることが、好ましい一態様である。【００２７】
上記の有機エレクトロルミネッセンス素子にあっては、前記導電固定部は、前記封止材の側面に接して形成されていることが、好ましい一態様である。【００２８】
上記の有機エレクトロルミネッセンス素子にあっては、前記電極片は、導電性ペーストによって形成された導電接着部によって前記封止材に固定されていることが、好ましい一態様である。【００２９】
上記の有機エレクトロルミネッセンス素子にあっては、前記導電固定部と前記導電接着部とが連結していることが、好ましい一態様である。【００３０】
上記の有機エレクトロルミネッセンス素子にあっては、前記封止材の表面に取出し電極拡張部が設けられ、前記電極片は、前記導電接着部によって前記取出し電極拡張部に接着されていることが、好ましい一態様である。【００３１】
上記の有機エレクトロルミネッセンス素子にあっては、前記封止材の表面に配線板を備え、前記配線板の表面に取出し電極拡張部が設けられ、前記電極片は、導電接続部によって前記取出し電極拡張部に電気的に接続されていることが、好ましい一態様である。【００３２】
上記の有機エレクトロルミネッセンス素子にあっては、前記取出し電極拡張部は、前記配線板の前記封止材側の表面に設けられ、前記取出し電極拡張部は、平面視において、前記封止材と重複する位置に配置されていることが、好ましい一態様である。【００３３】
上記の有機エレクトロルミネッセンス素子にあっては、前記取出し電極拡張部は、平面視において、前記電極片よりも内側に配置されていることが、好ましい一態様である。【００３４】
上記の有機エレクトロルミネッセンス素子にあっては、前記電極片と前記取出し電極拡張部とが、前記導電接続部を構成する可撓性導電体によって電気的に接続されていることが、好ましい一態様である。【００３５】
上記の有機エレクトロルミネッセンス素子にあっては、前記基板における前記電極引き出し部の外側に、絶縁性を有する絶縁壁部が設けられていることが、好ましい一態様である。【００３６】
上記の有機エレクトロルミネッセンス素子にあっては、前記基板の表面と側面との境界部に、前記電極引き出し部よりも外側の位置において、段部が形成され、前記絶縁壁部は、前記段部の表面に接して形成され、前記導電固定部は、前記絶縁壁部に接していることが、好ましい一態様である。【００３７】
上記の有機エレクトロルミネッセンス素子にあっては、前記電極片は、前記基板の表面に平行な方向に対しての応力を緩和する応力緩和構造を有することが、好ましい一態様である。【００３８】
上記の有機エレクトロルミネッセンス素子にあっては、前記応力緩和構造は、前記電極片に設けられた開口部により構成されていることが、好ましい一態様である。【００３９】
上記の有機エレクトロルミネッセンス素子にあっては、前記応力緩和構造は、前記電極片に設けられた切欠部により構成されていることが、好ましい一態様である。【００４０】
上記の有機エレクトロルミネッセンス素子にあっては、前記応力緩和構造は、前記電極片に設けられた複数の切欠部により構成され、前記複数の切欠部は、前記電極片がＳ字状の部分を有するように設けられていることが、好ましい一態様である。【００４１】
上記の有機エレクトロルミネッセンス素子にあっては、前記応力緩和構造は、前記電極片に設けられた波形構造により構成されていることが、好ましい一態様である。【００４２】
上記の有機エレクトロルミネッセンス素子にあっては、前記応力緩和構造は、前記電極片における前記基板の表面に垂直な方向に沿った部分と前記基板の表面に平行な方向に沿った部分との境界である屈曲部が、前記電極片の表面から外方に突出して構成されていることが、好ましい一態様である。【００４３】
上記の有機エレクトロルミネッセンス素子にあっては、前記電極片は、前記封止材の表面から側面に沿う形状に屈曲して形成されていることが、好ましい一態様である。【００４４】
上記の有機エレクトロルミネッセンス素子にあっては、前記電極片は、前記電極引き出し部に固定される位置よりも外側にはみ出した端子部を有することが、好ましい一態様である。【００４５】
上記の有機エレクトロルミネッセンス素子にあっては、前記電極片と前記電極引き出し部とは、境界部分において導電性を有する複数の突起が押し潰されて接続されていることが、好ましい一態様である。【００４６】
上記の有機エレクトロルミネッセンス素子にあっては、前記電極片と前記電極引き出し部とは、境界部分又は境界部分近傍において導電性を有する弾性部が押し付けられて接続されていることが、好ましい一態様である。【００４７】
上記の有機エレクトロルミネッセンス素子にあっては、前記電極片は一体に形成されていることが、好ましい一態様である。【００４８】
上記の有機エレクトロルミネッセンス素子にあっては、前記電極片は、前記封止材の前記基板とは反対側の面において接合されていることが、好ましい一態様である。【００４９】
上記の有機エレクトロルミネッセンス素子にあっては、前記電極片は、前記封止材の前記基板とは反対側の面に設けられた電極片支持体により支持されて固定されていることが、好ましい一態様である。【００５０】
上記の有機エレクトロルミネッセンス素子にあっては、前記電極片は板バネ構造を有しており、前記板バネ構造の付勢により前記電極片の延伸部が前記電極引き出し部に押し当てられていることが、好ましい一態様である。【００５１】
本発明に係る照明装置は、上記の有機エレクトロルミネッセンス素子を備えた照明装置である。
【発明の効果】
【００５２】
本発明によれば、発光面積の割合が高く、作製が容易で接続信頼性に優れた有機エレクトロルミネッセンス素子及び照明装置を得ることができる。
【図面の簡単な説明】
【００５３】
【図１】有機エレクトロルミネッセンス素子の実施形態の一例を示し、（ａ）は平面図、（ｂ）は断面図である。
【図２】有機エレクトロルミネッセンス素子の実施形態の一例を示し、（ａ）は斜視図、（ｂ）は分解した斜視図である。
【図３】（ａ）は有機エレクトロルミネッセンス素子の製造工程の一例を示す拡大断面図であり、（ｂ）は有機エレクトロルミネッセンス素子の一例を説明する拡大断面図である。
【図４】（ａ）は有機エレクトロルミネッセンス素子の製造工程の一例を示す拡大断面図であり、（ｂ）は有機エレクトロルミネッセンス素子の実施形態の一例を示す拡大断面図である。
【図５】有機エレクトロルミネッセンス素子の実施形態の一例を示す拡大断面図である。
【図６】有機エレクトロルミネッセンス素子の実施形態の一例を示す拡大断面図である。
【図７】有機エレクトロルミネッセンス素子の実施形態の一例を示す拡大断面図である。
【図８】有機エレクトロルミネッセンス素子の実施形態の一例を示す拡大断面図である。
【図９】有機エレクトロルミネッセンス素子の実施形態の一例を示す拡大断面図である。
【図１０】有機エレクトロルミネッセンス素子の実施形態の一例を示す拡大断面図である。
【図１１】有機エレクトロルミネッセンス素子の実施形態の一例を示し、（ａ）は拡大断面図、（ｂ）は一部の平面図である。
【図１２】有機エレクトロルミネッセンス素子の実施形態の一例を示す拡大断面図である。
【図１３】有機エレクトロルミネッセンス素子の実施形態の一例を示す拡大断面図である。
【図１４】有機エレクトロルミネッセンス素子の実施形態の一例を示す拡大断面図である。
【図１５】有機エレクトロルミネッセンス素子の実施形態の一例を示す断面図である。
【図１６】有機エレクトロルミネッセンス素子の実施形態の一例を示す拡大断面図である。
【図１７】有機エレクトロルミネッセンス素子の実施形態の一例を示す拡大断面図である。
【図１８】有機エレクトロルミネッセンス素子の実施形態の一例を示す拡大断面図である。
【図１９】有機エレクトロルミネッセンス素子の実施形態の一例を示す拡大断面図である。
【図２０】有機エレクトロルミネッセンス素子の実施形態の一例を示す拡大断面図である。
【図２１】有機エレクトロルミネッセンス素子の実施形態の一例を示す一部の斜視図である。
【図２２】（ａ）は有機エレクトロルミネッセンス素子の製造工程の一例を示す一部の斜視図、（ｂ）は有機エレクトロルミネッセンス素子の実施形態の一例を示す一部の斜視図である。
【図２３】有機エレクトロルミネッセンス素子の実施形態の一例を示す一部の斜視図である。
【図２４】有機エレクトロルミネッセンス素子の実施形態の一例を示す拡大断面図である。
【図２５】有機エレクトロルミネッセンス素子の実施形態の一例を示す拡大断面図である。
【図２６】有機エレクトロルミネッセンス素子の実施形態の一例を示す拡大断面図である。
【図２７】有機エレクトロルミネッセンス素子の実施形態の一例を示す拡大断面図である。
【図２８】照明装置の実施形態の一例を示す平面図である。
【図２９】（ａ）は有機エレクトロルミネッセンス素子の実施形態の一例を示す平面図、（ｂ）は照明装置の実施形態の一例を示す拡大平面図である。
【図３０】有機エレクトロルミネッセンス素子の実施形態の一例を示す拡大断面図である。
【図３１】（ａ）及び（ｂ）は有機エレクトロルミネッセンス素子の実施形態の一例を示し、（ａ）は斜視図、（ｂ）は断面図であり、（ｃ）は照明装置の実施形態の一例を示す拡大断面図である。
【図３２】（ａ）及び（ｂ）は有機エレクトロルミネッセンス素子の実施形態の一例を示し、（ａ）は斜視図、（ｂ）は断面図であり、（ｃ）は照明装置の実施形態の一例を示す拡大断面図である。
【図３３】有機エレクトロルミネッセンス素子の実施形態の一例を示す拡大断面図である。
【図３４】照明装置の実施形態の一例を示し、（ａ）は拡大断面図、（ｂ）は拡大平面図である。
【図３５】有機エレクトロルミネッセンス素子の実施形態の一例を示す拡大断面図である。
【図３６】有機エレクトロルミネッセンス素子の実施形態の一例を示す拡大断面図である。
【図３７】有機エレクトロルミネッセンス素子の実施形態の一例を示す拡大断面図である。
【図３８】有機エレクトロルミネッセンス素子の実施形態の一例を示す拡大断面図である。
【図３９】有機エレクトロルミネッセンス素子の実施形態の一例を示す拡大断面図である。
【図４０】有機エレクトロルミネッセンス素子の実施形態の一例を示す拡大断面図である。
【図４１】有機エレクトロルミネッセンス素子の実施形態の一例を示す拡大断面図である。
【図４２】有機エレクトロルミネッセンス素子の実施形態の一例を示す拡大断面図である。
【図４３】有機エレクトロルミネッセンス素子の実施形態の一例を示す拡大断面図である。
【図４４】（ａ）は電極片の一例を示す斜視図であり、（ｂ）及び（ｃ）は有機エレクトロルミネッセンス素子の実施形態の一例を示し、（ｂ）は拡大平面図、（ｃ）は拡大側面図である。
【図４５】（ａ）〜（ｃ）は電極片の一例を示す斜視図である。
【図４６】（ａ）は有機エレクトロルミネッセンス素子の実施形態の一例を示す拡大平面図であり、（ｂ）は有機エレクトロルミネッセンス素子の実施形態の一例を示す拡大側面図である。
【図４７】（ａ）は電極片の一例を示す斜視図であり、（ｂ）及び（ｃ）は有機エレクトロルミネッセンス素子の実施形態の一例を示し、（ｂ）は拡大平面図、（ｃ）は拡大側面図である。
【図４８】（ａ）は電極片の一例を示す斜視図であり、（ｂ）及び（ｃ）は有機エレクトロルミネッセンス素子の実施形態の一例を示し、（ｂ）は拡大平面図、（ｃ）は拡大側面図である。
【図４９】有機エレクトロルミネッセンス素子の実施形態の一例を示し、（ａ）は拡大断面図、（ｂ）は拡大平面図、（ｃ）は拡大側面図である。
【図５０】有機エレクトロルミネッセンス素子の実施形態の一例を示す拡大断面図である。
【図５１】有機エレクトロルミネッセンス素子の実施形態の一例を示す拡大断面図である。
【図５２】有機エレクトロルミネッセンス素子の実施形態の一例を示す拡大断面図である。
【図５３】有機エレクトロルミネッセンス素子の実施形態の一例を示す拡大断面図である。
【図５４】有機エレクトロルミネッセンス素子の実施形態の一例を示す拡大断面図である。
【図５５】有機エレクトロルミネッセンス素子の実施形態の一例を示す拡大断面図である。
【図５６】有機エレクトロルミネッセンス素子の実施形態の一例を示す拡大断面図である。
【図５７】有機エレクトロルミネッセンス素子の実施形態の一例を示す拡大断面図である。
【図５８】従来の有機エレクトロルミネッセンス素子の一例を示し、（ａ）は平面図、（ｂ）は分解平面図、（ｃ）は断面図である。
【発明を実施するための形態】
【００５４】
図１及び図２は、有機エレクトロルミネッセンス素子（有機ＥＬ素子）の実施形態の一例を示している。図１（ａ）では、封止材２によって封止された領域である封止領域を領域Ｑで表し、この封止領域よりも外側の領域である封止外領域を領域Ｔで表している。また、図１（ａ）では電極片３の隠れた部分を破線で示している。図１（ｂ）の断面図では、素子構造が分かりやすいように、右側に第１電極引き出し部５ａ側の端部を表し、左側に第２電極引き出し部５ｂ側の端部を表している。また、図２（ｂ）では、封止材２の外縁を二点鎖線Ｘで示している。
【００５５】
図１（ｂ）及び図２（ｂ）に示すように、有機ＥＬ素子は、基板１の表面に、第１電極７と有機発光層８と第２電極９とをこの順で有する有機発光体１０が形成されており、有機発光体１０は、基板１に接着された封止材２によって覆われて封止されている。有機ＥＬ素子では、基板１の端部表面に、第１電極７及び第２電極９の少なくとも一方と電気的に接続された電極引き出し部５が、封止材２よりも外側に引き出されて設けられている。また、封止材２の基板１とは反対側に、取出し電極１１が設けられている。この取出し電極１１は、電極片３によって構成されている。そして、電極片３の延伸部、すなわち、電極片３における素子の端部側に延伸して封止材２よりもはみ出した部分が、電極引き出し部５に固定されることにより、電極片３と電極引き出し部５とが電気的に接続されている。
【００５６】
本形態では、取出し電極１１が基板１の端部領域ではなく封止材２の基板１とは反対側の表面側に設けられているので、基板端部において取出し電極１１を設けるスペースを形成しなくてもよい。そのため、封止外領域（領域Ｔ）の幅を小さくすることができるので、外周部の非発光領域の割合を少なくして発光領域の割合を高くすることができ、素子の発光面積の割合を高くすることができる。また、電極片３を基板１側に固定しているため、電極片３と電極引き出し部５との電気的導通性を高く確保することができる。また、電極片３を用いているため、簡単に電極片３を取り付けて取出し電極１１を形成することができる。その結果、本形態の有機ＥＬ素子は、発光面積の割合が高く、作製が容易で接続信頼性に優れたものとなるのである。以下、さらに本形態の有機ＥＬ素子について説明する。
【００５７】
基板１は、光透過性を有する透明な基板１であることが好ましく、ガラス基板などを用いることができる。基板１をガラス基板で構成した場合、ガラスは水分の透過性が低いので、封止領域の内部に水分が浸入することを抑制することができる。基板１の表面における第１電極７との界面には、光取り出し層が設けられていてもよい。光取り出し層が設けられることにより、光取り出し性を高めることができる。光取り出し層は、ガラスよりも屈折率の高い樹脂層や、光散乱粒子を含む樹脂層や、高屈折率ガラスなどによって形成することができる。本形態では、基板１は、矩形状のものが用いられている。
【００５８】
有機発光体１０は、第１電極７、有機発光層８及び第２電極９の積層体である。有機発光体１０の設けられる領域は、平面視（基板表面に垂直な方向から見た場合）において、基板１の中央部の領域である。有機ＥＬ素子では、平面視における有機発光体１０が設けられた領域が発光領域となる（図５８（ｂ）の領域Ｐを参照）。
【００５９】
第１電極７及び第２電極９は、互いに対となる電極であり、一方が陽極を構成し、他方が陰極を構成する。本形態では、第１電極７により陽極を構成し、第２電極９により陰極を構成することができるが、その逆であってもよい。第１電極７は、光透過性を有することが好ましく、その場合、第１電極７は光取り出し側の電極となる。第１電極７は、透明な導電層によって構成することができる。導電層の材料としては、ＩＴＯ、ＩＺＯなどが例示される。また、第２電極９は光反射性を有していてもよい。その場合、第２電極９側に向って発せられる発光層からの光を、第２電極９で反射させて基板１側から取り出すことができる。また、第２電極９は光透過性の電極であってもよい。第２電極９が光透過性の場合、封止材２側の面から光を取り出す構造にすることが可能である。あるいは、第２電極９が光透過性の場合、第２電極９における有機発光層８とは反対側の面に光反射性の層を設けることによって、第２電極９の方向に進行した光を反射させて、基板１側から取り出すことが可能である。第２電極９は、例えば、ＡｌやＡｇなどにより形成することができる。第１電極７及び第２電極９の膜厚は、特に限定されるものではないが、例えば、１０〜３００ｎｍ程度にすることができる。
【００６０】
有機発光層８は、発光を生じさせる機能を有する層であり、ホール注入層、ホール輸送層、発光層（発光材料を含有する層）、電子輸送層、電子注入層、中間層などから適宜選ばれる複数の機能層によって構成されるものである。有機発光層８の厚みは、特に限定されるものではないが、例えば、６０〜３００ｎｍ程度にすることができる。
【００６１】
有機ＥＬ素子では、第１電極７と第２電極９とに電圧を印加し、有機発光層８（発光材料含有層）において正孔と電子を結合させて発光を生じさせる。そのため、第１電極７及び第２電極９のそれぞれと導通する電極を基板端部に引き出して設ける必要がある。引き出された電極は、外部電極と電気的に接続するための端子である取出し電極１１と導通するものとなる。本形態では、基板１の表面に、第１電極７及び第２電極９と導通する電極引き出し部５を設け、有機発光層８に電圧を印加できるようにしている。
【００６２】
電極引き出し部５は、基板１の端部表面に形成されている。電極引き出し部５は、第１電極７と導通する第１電極引き出し部５ａと、第２電極９と導通する第２電極引き出し部５ｂとによって構成されている。本形態では、電極引き出し部５は、第１電極７を構成する導電層によって形成されている。
【００６３】
第１電極引き出し部５ａは、第１電極７を構成する導電層が基板１の端部側に分断されずに引き出され外側に向かって延出されることによって形成されている。すなわち、第１電極７を構成する導電層は、第１電極引き出し部５ａが設けられる端部では封止材２からはみ出して基板１の端部にまで形成されている。第１電極７と導通する第１電極引き出し部５ａが封止領域よりも外側にまで延出されることにより、封止領域の外部と素子内部とを電気的に接続させることが可能になる。このように、第１電極７を延長することによって第１電極引き出し部５ａを形成すると、簡単に第１電極引き出し部５ａを形成することができる。
【００６４】
また、本形態では、第２電極引き出し部５ｂは、第１電極７を形成するための導電層の一部が第１電極７から分離されるとともに、基板１の端部側に引き出され外側に向かって延出されることによって形成されている。すなわち、第２電極引き出し部５ｂを構成する導電層は、第１電極７から分離されるとともに、封止材２からはみ出して基板１の端部にまで形成されている。第２電極９と導通する第２電極引き出し部５ｂが封止領域よりも外側にまで延出されることにより、封止領域の外部と素子内部とを電気的に接続させることが可能になる。そして、パターン形成された導電層によって第２電極引き出し部５ｂを形成すると、簡単に第２電極引き出し部５ｂを形成することができる。第２電極引き出し部５ｂは、素子の内部において、積層された第２電極９と接触しており、それにより第２電極引き出し部５ｂと第２電極９とが導通する構造となっている。
【００６５】
図１では、電極引き出し部５が基板１の外周端縁よりもやや小さい範囲内に形成された形態を示しているが、電極引き出し部５は基板１の端縁まで延長されていてもよい。電極引き出し部５の端縁が基板１の端縁の位置になると、封止外領域を小さくすることがさらに可能になり、基板端部の非発光領域をさらに小さくすることができる。また、有機ＥＬ素子は、複数個、面状に並べて照明装置を形成することができるが、その際、電極引き出し部５を基板１の端縁まで形成した場合には、他の有機ＥＬ素子を必要な箇所で導通させて電気的に接続することが容易になる。また、電極引き出し部５が基板１の端縁まで形成されていないことも好ましい。電極引き出し部５が基板１の端縁まで形成されていないと、隣り合う有機ＥＬ素子において絶縁距離を確保することができ、ショート不良を抑制することができる。
【００６６】
第１電極７、第１電極引き出し部５ａ及び第２電極引き出し部５ｂは、同じ導電材料を用いて形成することができる。それにより、有機ＥＬ素子を簡単に製造することができる。第１電極７の導電層は、例えば、透明金属酸化物により形成することができる。具体的には、例えば、この導電層をＩＴＯで構成することができる。導電層の厚みは、特に限定されるものではないが、０．０１〜０．５μｍの範囲にすることができる。好ましくは、例えば、この導電層の厚みを０．１〜０．２μｍ程度にすることができる。
【００６７】
封止材２は、水分の透過性が低い基板材料を用いて形成することができる。封止材２としては、例えば、ガラス基板を用いることができる。ガラス基板を用いることにより、水分が浸入するのを抑制することができる。また、封止材２として、有機発光体１０を収納する収納凹部が表面に設けられた封止基板を用いることができる。いわゆるキャップ状の封止基板である。収納凹部を設けた封止基板を用いることにより、有機発光体１０を密封性よく封止することができる。
【００６８】
封止材２は、接着材料によって基板１に接着されている。接着材料としては、例えば、樹脂性の接着材料を用いることができる。樹脂性の接着材料は、防湿性を有しているものが好ましい。例えば、乾燥剤を含有することにより防湿性を高めることができる。樹脂性の接着材料は、熱硬化性樹脂や紫外線硬化樹脂などを主成分とするものであってもよい。
【００６９】
封止材２は、有機発光体１０の外周を取り囲む領域で基板１に接着することができる。それにより、基板１と封止基板とを外周に亘って接着し、有機発光体１０を密封性高く封止して外部から遮断することができる。有機発光体１０の封止によって、収納凹部の空間には封止間隙６が設けられる。有機ＥＬ素子では、この封止間隙６に充填剤６ｂを充填して充填密封構造にしてもよいし（後述の図１５の形態を参照）、封止間隙６を空洞となった封止空間６ａにして中空構造にしてもよい。図１の形態では、封止間隙６は封止空間６ａとなっている。封止間隙６を封止空間６ａにする場合には、封止空間６ａに乾燥剤を設けることができる。それにより、封止空間６ａに水分が浸入したとしても、浸入した水分を吸収することができる。また、封止間隙６を充填剤６ｂで充填する場合には、乾燥剤を含んだ充填剤６ｂを用いることができる。それにより、素子内部に水分が浸入したとしても、浸入した水分を吸収することができる。
【００７０】
そして、本形態の有機ＥＬ素子では、取出し電極１１を構成する電極片３が封止材２の基板１とは反対側に設けられ、電極片３の延伸部が電極引き出し部５に固定されている。電極片３は、導電性を有する金属片により構成することができる。金属片を用いることにより、厚みの薄い片状の金属材料で簡単に電極端子を構成することができる。また、電極片３を用いた場合、封止材２よりも外部の封止外領域（領域Ｔ）の幅を電極片３の固定に要する程度の幅にすることが可能である。そのため、封止材２よりも外側の非発光の領域を小さくすることができ、有機ＥＬ素子における発光領域の割合を高めることができる。図２（ｂ）では、電極片３が電極引き出し部５に接触する部分（固定部分）を太い破線Ｙで示している。固定部分は、封止材２の端縁に沿った直線状となっている。
【００７１】
有機ＥＬ素子では、電極片３の延伸部が電極引き出し部５に押し当てられて固定されていることが好ましい一形態である。電極片３を押し当てることにより、接触性が高まり、電気的接続性を高めることができる。また、電極片３を押し当てることにより固定性を高めることができ、強固に電極片３を固定することができる。電極片３を押し当てる場合、封止材２よりも外部の封止外領域（領域Ｔ）の幅を電極片３の押し当てに要する程度の幅にすることが可能である。そのため、封止材２よりも外側の非発光の領域を小さくすることができ、有機ＥＬ素子における発光領域の割合を高めることができる。図２（ｂ）において太い破線Ｙで示される固定部分は、押し当て部分となる。
【００７２】
電極片３の押し当て力は、電極片３に設けられたバネ構造によって得ることが可能である。すなわち、電極片３の一方の端部を固定し他方の端部を押し付けるようにすると、電極片３には変形させようとする力が加えられるが、このとき、電極片３は、元の形状を維持したり元の形状に戻ろうとしたりしようとする。すると、電極片３には、電極片３の端部を押し付けてその先端を電極引き出し部５に押し当てようとする力が働く。この押し当て力を利用して、電極片３と電極引き出し部５とを接続するのである。
【００７３】
取出し電極１１は、電極片３の一部で構成されており、封止材２とは反対側の表面に形成されている。そのため、取出し電極１１を基板端部に設けなくてもよくなり、基板端部の非発光の領域を小さくすることができる。また、基板１側から光を取り出す場合には、取出し電極１１は発光面とは反対側である素子の背面に形成され得ることになる。そのため、強度のある金属片によって比較的大きな面積で取出し電極１１を形成できるので、ワイヤボンディングなどの電気接続が行いやすくなり、取出し電極１１を外部電源に容易に接続することができる。
【００７４】
電極片３に用いる金属片は、溶融した金属を型材に入れて成形したり、金属板や金属シートを切り出したりして形成することができる。金属材を切り出す場合、簡単に金属片を得ることができる。また、折れ曲がった金属片や、切り込まれて分岐した金属片を形成する場合は、折り曲げ加工や切り込み加工を行ってもよい。また、金属製の板バネ材によって電極片３を構成してもよい。金属片の材料としては、銅、アルミなどを用いることができる。また、金属片の材料として、銅めっき、ニッケルめっき、銀めっき、金めっきなどの導電性の金属めっきを、ベース片の表面に施した金属片を用いてもよい。また、金属片として、Ｃｕ合金、Ｆｅ合金、Ａｌ合金なども使用できる。このとき、ベース片は金属片であってよい。電極片３を構成する金属片の厚みは、例えば０．１〜３ｍｍ程度にすることができるが、これに限定されるものではない。電極片３に用いる金属片としては、金属ピンを使用することもできる。金属ピンは、いわゆるリードピンであってよい。金属ピンを用いた場合、簡単な構成で電極片３を形成して電気接続を行うことができる。金属ピンは断面略円形状の棒状体であってよい。ただし、導通性を高めるためには、棒状よりも板状の金属片が好ましい。また、板バネ性を得るためには、板状の金属片が好ましい。
【００７５】
電極片３は、第１電極引き出し部５ａに固定されるものと、第２電極引き出し部５ｂに固定されるものとの２種類が設けられている。それにより、第１電極７と電気的に接続された取出し電極１１と、第２電極９と電気的に接続された取出し電極１１とを設けることができ、有機発光体１０に電気を供給することが可能になる。
【００７６】
本形態では、電極片３は、先端部が封止材２に支持固定される支持片３１と、先端部を電極引き出し部５に固定する固定片３２とを有して構成されている。固定片３２は、支持片３１の一方の端部から略垂直に突出しており、電極片３は全体として略Ｌ字状に形成されている。この電極片３は、例えば、平板状の金属片を折り曲げて形成することができる。支持片３１の封止材２よりもはみ出した部分は、電極引き出し部５に固定される電極片３の延伸部を構成している。電極片３においては、支持片３１は封止材２の表面に沿って配置され、固定片３２は封止材２の側面に沿って配置されている。支持片３１が基板１の表面と略平行に配置し、固定片３２が基板１の表面と略垂直に配置していてもよい。ただし、電極片３は基板１側に固定されるものであればよいものであり、支持片３１及び固定片３２が基板１に対して完全に平行及び垂直の関係になっていなくてもよい。例えば、押し付けに適した形状になるよう、電極片３全体として若干ひずみむように湾曲していてもよい。図１（ｂ）では、電極片３を押し付けた場合における電極片３の押し付け方向を白抜き矢印で示している。
【００７７】
支持片３１の表面は、外部電源と接続する接続端子として形成することができるものであり、外部電源との電気接続を行うことが可能な取出し電極１１となる。このように支持片３１で取出し電極１１を構成することにより、取出し電極１１をより大きく形成することができ、外部との電気接続性を高めることができる。もちろん、取出し電極１１は、有機ＥＬ素子に電圧を印加できる電極としての機能を発揮するものであればよく、外部配線が直接接続されてもよいし、他の導電部材を取出し電極１１に接続して、その導電部材が外部配線に接続されるようにしてもよい。
【００７８】
封止材２の側面と電極片３の固定片３２との間には、隙間が形成されていてもよい。すなわち、固定片３２は封止材２の側面に接触していなくてもよい。それにより、固定片３２が移動可能なスペースが設けられるため、電極片３を位置合せして固定しやすくすることができる。また、固定片３２と封止材２との間に隙間が形成されていると、電極片３を押し付ける場合、電極片３が変形しやすくなり、バネ性を高めることができる。
【００７９】
電極片３は、支持片３１の端部が電極片支持体４によって接着されて封止材２の表面に接合されている。電極片支持体４は、硬化接着性の樹脂材料などを用いて形成することができる。あるいは、電極片支持体４は、電極片３の端部を嵌め込んで固定するものであってもよい。また、電極片支持体４をプラスチック材で構成してもよい。電極片支持体４は、封止材２の表面に固着されていることが好ましい。それにより、電極片３の端部を強く支持固定することができる。電極片支持体４が設けられる位置は、基板１側から光を取り出すのであれば、平面視において発光領域と重複していてもよい。
【００８０】
このように、本形態では、電極片３は、封止材２の基板１とは反対側の面において接合されている。それにより、封止材２表面以外の他の部位で電極片３を固定する場合よりも、電極片３を強固に固定することができる。また、電極片３を封止材２の表面に接合することによって、電極片３のバネ性を高めて押し付け力を高めることができる。また、封止材２の表面に取出し電極１１を容易に形成することができ、外部との電気接続性を高めることができる。
【００８１】
また、本形態のように、電極片３は、封止材２の基板１とは反対側の面に設けられた電極片支持体４により支持されて固定されていることが好ましい。それにより、支持体などの固定部材を用いずに電極片３を固定する場合よりも、電極片３を強固に固定することができる。また、電極片３を電極片支持体４によって封止材２に接合することによって、電極片３のバネ性を高めて押し付け力を高めることができる。
【００８２】
電極片支持体４は支持片３１の端部（固定片３２とは反対側の端部）に設けることが好ましい。支持片３１の端部に電極片支持体４を設けることにより、端部を確実に支持固定できるのでバネ性を高めることができる。また、封止材２の表面に取出し電極１１の領域を確保することができ、外部との電気接続性を高めることができる。
【００８３】
電極片支持体４は電極片３の端部を覆うことが好ましい。それにより、端部をより確実に支持固定できるので、バネ性を高めることができ、押し当て力を強くすることができる。
【００８４】
本形態では、電極片３は、封止材２の表面から側面に沿う形状に屈曲して形成されている。このように、電極片３が屈曲して形成されていると、電極片３が素子から飛び出すことがなく、寸法よく電極片３を固定することができる。また、電極片３を押し付ける場合には、屈曲によりバネ性を高めて押し付け力を高めることができる。また、封止材２の形状に沿った形状になると、電極片３が素子の外側にせり出すことを抑制することができるので、電極片３が破壊されたりすることを抑制することができる。
【００８５】
また、本形態では、電極片３は一体に形成されている。すなわち、電極片３は一体となった金属片によって構成されており、複数の金属片が接合されてできたものではない。それにより、電極片３を強固なものにすることができ、固定力を高めることができる。また電極片３を押し付ける場合には、バネ性を高めて押し付け力を高くすることができる。
【００８６】
電極片３は、個々の電極引き出し部５に接続されており、取出し電極１１は、第１電極引き出し部５ａを介して第１電極７と電気的に接続されるものと、第２電極引き出し部５ｂを介して第２電極９と電気的に接続されるものとに区分される。本形態では、複数の電極片３が用いられており、それにより複数の取出し電極１１が形成されている。複数の箇所で電圧を印加することにより、通電性を高めることができる。取出し電極１１にリード線などをワイヤボンディングによって接続することにより外部電源と接続することができる。
【００８７】
また、本形態のように、電極片３は板バネ構造を有しており、板バネ構造の付勢により電極片３の延伸部が電極引き出し部５に押し当てられていることが好ましい。板バネ構造とは、板の一端が支持固定されるとともに他端が自由端となった場合に、この自由端が押圧されることにより、押圧に対向する応力が働いて、押し戻す作用が生じてバネ性を発現する構造のことである。板バネ構造の付勢により、簡単に強く電極片３を押し当てることができる。
【００８８】
有機ＥＬ素子では、複数の有機ＥＬ素子を面状に配設して発光面積の大きい面状発光装置（照明体）を得ることができる。本形態の有機ＥＬ素子では、基板端部の非発光領域を小さくすることができるため、隣り合う有機ＥＬ素子の境界部分に形成される非発光の領域を小さくすることができ、有機ＥＬ素子の連結部分を目立たなくすることができる。また、非発光の領域が小さくなるため、発光割合を高くすることができ、発光強度の大きい発光装置を得ることができる。
【００８９】
図３は、有機ＥＬ素子の製造工程の一例を示しており、電極片３を取り付ける工程の一例を示している。本形態では、電極片３の固定片３２は、先端部を電極引き出し部５に接触させて押し付ける押し付け片３２ａで構成されている。本形態の有機ＥＬ素子は、電極片３を取り付けるまでは、適宜の方法により作製することができる。例えば、基板１の表面に第１電極７と電極引き出し部５とを構成する導電層をパターン状に形成し、次に有機発光層８を構成する各層を順次に積層して有機発光層８を形成し、続いて、第２電極９を形成することにより、有機発光体１０を積層形成することができる。積層は、蒸着や塗布などにより行うことができる。第２電極９と第１電極７とは互いに接触しないパターンで積層される。そして、封止材２を接着材料によって基板１に接着することにより、有機発光体１０を封止する。これにより、電極片３を取り付ける前の素子を得ることができる。
【００９０】
そして、図３（ａ）に示すように、電極片３を封止材２側から近づける。このとき、支持片３１を封止材２の表面に接合するとともに、押し付け片３２ａ（固定片３２）の先端を電極引き出し部５に押し付ける。図３（ａ）の形態のようなＬ字状の電極片３の場合、押し付け力を十分に得るためには、固定片３２の長さＬは、封止材２の高さＨと同じかそれよりもやや長いことが好ましい。より好ましくは、固定片３２の長さＬを封止材２の高さＨよりも若干長くする。それにより、バネ性を高めて、固定片３２の先端を強く押し付けることができる。
【００９１】
図３（ｂ）は、電極片３の押し当てを説明する図である。図３（ｂ）では、電極片３の押し当てによって生じるバネ弾性が分かりやすくなるように、電極片３が極端に変形した様子を図示しているが、実際には、電極片３の変形は微小であってもよい。図３（ｂ）に示すように、電極片３においては、支持片３１の先端部が封止材２に固定されると、この支持片３１の先端部に固定端としての機能が付与される。すると、支持片３１の固定片３２側の端部は自由端としての機能が付与されるが、このとき、固定片３２の長さＬが封止材２の高さＨよりも長いと、固定片３２は基板１から略垂直な方向に押圧される。そして、電極片３には変形させようとする力が加えられるが、支持片３１の端部が固定されているため、この変形を元の形状に戻そうとして基板１側に押し返す付勢力が電極片３に付与される（図の白抜き矢印）。それにより、固定片３２（押し付け片３２ａ）を電極引き出し部５に強く押し付けることができ、電極片３を押し当てて電気接続性を高めることができる。なお、図３（ｂ）のような極端な変形ではなくても、電極片３が押し当てられた場合、電極片３は屈曲部分を中心にわずかにひずんだりして変形していると考えられるので、押し当てられているかどうかは確認することが可能である。
【００９２】
固定片３２は、押し付けを行う場合、長さが短すぎると十分なバネ性を得ることができなくなるおそれがあり、長さが長すぎると電極引き出し部５などをかえって破壊してしまったり、電極片３がバネ性を失うほど変形したりしてしまうおそれがある。図３（ａ）の形態のような電極片３の場合、固定片３２の長さＬは、封止材２の高さＨに対して１〜２倍であることが好ましく、１．１〜１．５倍であることがより好ましいが、押し付け作用が得られるのであれば、これに限定されるものではない。例えば、支持片３１の延伸部（封止材２よりも外側にはみ出した部分）が電極引き出し部５側に曲がっている場合には、固定片３２の長さＬは封止材２の高さＨの０．５倍以上１倍以下であってもよい。その場合も、押し付け作用を得ることができる。
【００９３】
電極片支持体４を用いる場合は、電極片３を取り付けるのと同時に電極片支持体４を設けてもよいし、電極片３を電極片支持体４に先に取り付け、その後、電極片支持体４ごと電極片３を取り付けるようにしてもよい。また、電極片３を両面テープなどで仮固定するなどして先に取り付けた後、樹脂材などを塗布し硬化させて電極片支持体４を形成してもよい。電極片支持体４は設けなくてもよいが、その場合、両面テープで支持片３１を封止材２に接着するなど、支持片３１を支持固定できる構造を有することが好ましい。
【００９４】
図４は、有機ＥＬ素子の実施形態の他の一例であり、電極片３の付近を拡大して図示している。図４（ｂ）は、電極片３が取り付けられた後の有機ＥＬ素子を示しており、図４（ａ）は、図４（ｂ）の有機ＥＬ素子を製造する工程の一例を示している。本形態では、電極片３の固定構造が異なる以外は、図１の形態と同じ構成となっている。図１の形態と同じ構成については、同じ符号を付して説明を省略する。
【００９５】
図４（ｂ）に示すように、本形態の有機ＥＬ素子では、電極片３の延伸部が電極引き出し部５に導電性ペースト２０によって形成された導電固定部２１によって固定されている。このように、有機ＥＬ素子においては、電極片３が導電性ペースト２０によって固定されていることが好ましい一形態である。電極片３が導電性ペースト２０によって固定されることにより、固定性が高まるとともに電気的接続性を高めることができる。また、導電性ペースト２０が硬化して形成される導電固定部２１によって電極片３を固定することができるため、強固に電極片３を固定することができる。また、導電性ペースト２０で固定する場合、導電性ペースト２０を簡単に塗布などによって設けることができるとともに、硬化させて固着させることができ、容易に電極片３を固定して接着することができる。また、電極片３を導電性ペースト２０によって固定する場合、封止材２よりも外部の封止外領域（領域Ｔ）の幅を導電性ペースト２０による電極片３の固定に要する程度の幅にすることが可能である。そのため、封止材２よりも外側の非発光の領域を小さくすることができ、有機ＥＬ素子における発光領域の割合を高めることができる。
【００９６】
導電性ペースト２０としては、熱硬化性を有するものを好ましく用いることができる。その場合、熱硬化により簡単に導電性ペースト２０から導電固定部２１を形成することができる。導電性ペースト２０は、流動性を有するペースト状の材料であり、簡単に塗布することができる。
【００９７】
導電性ペースト２０に含まれる導電材料としては、特に限定されるものではないが、金属粒子を好ましく用いることができる。例えば、銀、金、銅、ニッケルなどの粒子である。このうち、銀を用いた銀ペーストが好ましい。導電性ペースト２０には、バインダーが含まれていてもよい。バインダーが含まれることにより、導電性ペースト２０の粘度や接着性が調整され得るため、取扱い性の高い導電性ペースト２０を得ることができる。バインダーは熱硬化性樹脂であってもよい。熱硬化性樹脂としてはエポキシ樹脂、シリコン樹脂などが挙げられる。導電性ペースト２０は、導電材料が溶媒などによって分散されるものであってよい。溶媒は、有機溶剤などであってよい。熱硬化の際に気化する有機溶媒を用いれば、簡単に導電性ペースト２０を硬化させることができる。導電性ペースト２０の熱硬化温度は、特に限定されるものではないが、例えば１００℃以上２００℃以下にすることができる。熱硬化温度が高すぎると、硬化時の熱で素子が劣化するおそれがある。
【００９８】
本形態の有機ＥＬ素子を作製する場合、例えば、図４（ａ）に示すように、電極片３を封止材２側から近づける。このとき、電極引き出し部５の表面、及び、電極片３に設けられた固定片３２の先端、のいずれか一方又は両方に、導電性ペースト２０を塗布などにより設けておく。導電性ペースト２０は、ディスペンサーや印刷などの塗布により設けることができる。図４（ａ）では、電極引き出し部５の表面に導電性ペースト２０が設けられた様子が示されている。このように電極引き出し部５の表面に導電性ペースト２０を設ける場合、簡単に導電性ペースト２０を塗布して設けることができる。そして、支持片３１を封止材２の表面に接合するとともに、固定片３２の先端を電極引き出し部５に近づける。支持片３１と封止材２との接合は両面テープなどにより行うことができる。そして、固定片３２を導電性ペースト２０に接触させて電極引き出し部５に接合する。このとき、固定片３２の先端で導電性ペースト２０をやや押し潰すようにしてもよい。それにより、固定片３２の先端が導電性ペースト２０の内部に埋め込まれて固定性と電気接続性とを高めることができる。
【００９９】
図４（ａ）の形態のような電極片３の場合、導電性ペースト２０により電気接続性と固定性が得られるので、固定片３２の長さＬは、封止材２の高さＨと同じあってもよく、高さＨよりもやや長くてもよく、あるいは、高さＨよりも短くてもよい。ただし、固定片３２の長さＬが封止材２の高さＨよりも短すぎると、固定片３２を電極引き出し部５に固定するために導電性ペースト２０の厚みを大きくしなければならず、容易に固定できなくなったり、固定性が低下したりするおそれがある。また、固定片３２の長さＬが封止材２の高さＨよりも長すぎると、固定片３２の先端で電極引き出し部５を強く押し付けすぎたりして素子を破損してしまうおそれがある。そのため、固定片３２の長さＬは封止材２の高さＨと略同一程度が好ましい。例えば、固定片３２の長さＬは、特に限定されるものではないが、封止材２の高さＨの０．５〜１．５倍程度にすることができる。
【０１００】
そして、電極片３と電極引き出し部５との間に導電性ペースト２０が介在した状態の素子を加熱することにより、導電性ペースト２０が熱硬化して固まり、導電固定部２１が形成される。これにより、図４（ｂ）に示すような、電極片３が導電固定部２１によって電極引き出し部５に固定された有機ＥＬ素子を得ることができる。
【０１０１】
なお、図４（ａ）では、導電性ペースト２０を予め設けておいて接着する形態を示したが、導電性ペースト２０は、電極片３が取り付けられた後に設けられてもよい。例えば、固定片３２を封止材２に固定した後、電極引き出し部５と固定片３２との間の隙間や境界部分に導電性ペースト２０を設け、硬化させることによっても導電性ペースト２０で電極片３を電極引き出し部５に固定することができる。ただし、より強力に固定するためには、図４（ａ）の形態のように、導電性ペースト２０を予め設けておき、導電性ペースト２０を挟み込んで固定片３２を電極引き出し部５に固定する方が有利である。
【０１０２】
なお、図４（ｂ）の形態においても、図１の形態に示すような、電極片支持体４を用いることができる。その場合、電極片３を取り付けるのと同時に電極片支持体４を設けてもよいし、電極片３を電極片支持体４に先に取り付け、その後、電極片支持体４ごと電極片３を取り付けるようにしてもよい。また、電極片３を両面テープなどで仮固定するなどして先に取り付けた後、樹脂材などを塗布し硬化させて電極片支持体４を形成してもよい。電極片支持体４は設けなくてもよいが、その場合、両面テープで支持片３１を封止材２に接着するなど、支持片３１を支持固定できる構造を有することが好ましい。
【０１０３】
ところで、図３のような電極片３の延伸部が押し当てられる形態にあっても、電極片３と電極引き出し部５との境界部分は、導電性ペースト２０が設けられて接着されていることが好ましい。すなわち、この場合、電極片３の延伸部は、電極片３の押し当てと、導電性ペースト２０によって形成される導電固定部２１とによって、固定されることになる。導電性ペースト２０を設けることにより、電極片３と電極引き出し部５とを強固に接着して固定することができるとともに、電気接続性を高めることができる。導電性ペースト２０は硬化されて導電体（導電固定部２１）を形成するものであってよい。また、導電性ペースト２０による導電体で電極片３と電極引き出し部５とが接着され、さらに、この導電体で電極片３と電極引き出し部５との境界部分が被覆されていてもよい。それにより、電極片３の固着強度を高めることができる。
【０１０４】
また、図３の形態において導電性ペースト２０を用いる場合、電極片３の押し付けに際しては、電極引き出し部５の表面、及び、固定片３２の先端の一方又は両方に、導電性ペースト２０をあらかじめ設けておくことが好ましい。それにより、導電性ペースト２０を押し付けながら電極片３を電極引き出し部５に押し当てることができる。また、電極片３と電極引き出し部５との境界部分が導電性ペースト２０によって被覆されていると、取り付け強度を高めることができる。また、導電性ペースト２０を用いると、電極片３と電極引き出し部５との間に隙間ができたとしてもこの隙間を導電性ペースト２０で埋めることができるので、電気接続性を高めることができる。導電性ペースト２０は接着後に硬化して導電固定部２１を構成する導電体となることが好ましい。
【０１０５】
また、図３の形態において導電性ペースト２０を用いた形態は、いわば、図４の形態において電極片３の延伸部を電極引き出し部５に押し当てた形態となる。したがって、図４の形態において、電極片３の固定片３２を電極引き出し部５に押し当てる方法は、図３の形態で説明した方法と同様の方法にすることができる。図４の形態において、電極片３を押し付ける場合には、押し付け後に、電極片３の延伸部の先端（固定片３２の先端）と、電極引き出し部５とが直接接触していてもよく、あるいは、直接接触していなくてその間に導電固定部２１（導電性ペースト２０）が設けられていてもよい。
【０１０６】
図５は、有機ＥＬ素子の実施形態の他の一例であり、電極片３の付近を拡大して図示している。本形態では、導電性ペースト２０によって形成される導電固定部２１の構造が異なる以外は、図４の形態と同じ構成となっている。
【０１０７】
図５の形態では、導電性ペースト２０により形成される導電固定部２１は、電極片３における延伸部（固定片３２）の封止材２側の面に接して形成されている。このように、固定片３２の封止材２側の面に導電固定部２１が形成されると、より大きい導電固定部２１によって電極片３の延伸部を固定することができ固定性を高めることができる。また、導電固定部２１が大きくなることにより導通性が高まるため、電気接続性を向上させることができる。
【０１０８】
図５では、固定片３２の封止材２側の表面全体に導電固定部２１が形成された様子が示されているが、導電固定部２１は固定片３２の封止材２側の表面の一部に形成されていてもよい。要するに、導電固定部２１が、固定片３２の先端部分における封止材２側の表面に形成され、固定片３２と電極引き出し部５との境界部分を含んで形成されていれば固定性を高めることができる。もちろん、固定性及び電気接続性をより高めるためには、導電固定部２１は大きい方がよく、固定片３２の封止材２側の表面全体に形成されていることが好ましい。
【０１０９】
図５の形態は、例えば、図４（ａ）に示す工程において、電極片３の延伸部を接触させる際に、導電性ペースト２０が流動して固定片３２の表面を這い上がるようにして、固定片３２を導電性ペースト２０に押し込むことにより形成することができる。これにより、導電性ペースト２０を固定片３２の封止材２側の表面に設けることができ、導電固定部２１を固定片３２の素子内面に形成することができる。あるいは、導電性ペースト２０を固定片３２の封止材２側の表面に設けておくとともに、電極引き出し部５表面に導電性ペースト２０を設け、固定片３２を電極引き出し部５に近づけて電極片３を取り付け、両方の導電性ペースト２０を接触させるようにしてもよい。これにより、硬化させたときには両方の導電性ペースト２０が一体化して接続され、固定性と電気接続性とを高めることができる。導電性ペースト２０は、塗布により設けることができる。
【０１１０】
図６は、有機ＥＬ素子の実施形態の他の一例であり、電極片３の付近を拡大して図示している。本形態では、導電性ペースト２０によって形成される導電固定部２１の構造が異なる以外は、図４の形態と同じ構成となっている。
【０１１１】
図６の形態では、導電性ペースト２０により形成される導電固定部２１は、封止材２の側面に接して形成されている。このように、導電固定部２１が封止材２の側面に接して形成されると、より大きい導電固定部２１で電極片３の延伸部を固定することができ固定性を高めることができる。さらに、本形態では、導電固定部２１は、固定片３２の封止材２側の面に形成されるともに、封止材２の側面に接して形成されている。すなわち、導電固定部２１は、封止材２と固定片３２との間の隙間を埋めるように、その隙間に導電性ペースト２０が充填されて形成されている。このように、導電固定部２１が封止材２と電極片３との間を埋めるように形成されると、電極片３を封止材２に強力に固定することができるため、電極片３の固定性を向上することができる。
【０１１２】
図６では、固定片３２と封止材２との隙間全体に導電固定部２１が形成された様子が示されているが、導電固定部２１は固定片３２と封止材２との隙間の一部に形成されていてもよい。要するに、導電固定部２１が、固定片３２と封止材２との間で跨って形成されていれば固定性を高めることができる。もちろん、固定性及び電気接続性をより高めるためには、導電固定部２１は大きい方がよく、固定片３２と封止材２との隙間全体に形成されていることが好ましい。
【０１１３】
図６の形態は、例えば、図５の形態を作製した後、導電性ペースト２０を固定片３２と封止材２との隙間に注入し、固定片３２と封止材２との隙間を埋めるように導電性ペースト２０を充填することによって形成することができる。もちろん、予め固定片３２の封止材２側の表面に封止材２と接触できる量の導電性ペースト２０を設けたり、あるいは、封止材２の側面に固定片３２と接触できる量の導電性ペースト２０を設けたりし、その状態で、固定片３２を固定して隙間を埋めてもよい。複数の箇所に導電性ペースト２０を設けた場合、導電性ペースト２０を接触させるようにすれば、硬化させたときには複数の導電性ペースト２０が一体化して接続され、固定性と電気接続性とを高めることができる。導電性ペースト２０は、塗布により設けることができる。
【０１１４】
図７は、有機ＥＬ素子の実施形態の他の一例であり、電極片３の付近を拡大して図示している。本形態では、導電接着部２２が形成されている以外は、図４（ｂ）の形態と同じ構成となっている。
【０１１５】
図７の形態では、電極片３は、導電性ペースト２０によって形成された導電接着部２２によって封止材２に固定されている。導電接着部２２は、電極片３と封止材２を接着している。このように、有機ＥＬ素子においては、電極片３が導電性ペースト２０によって封止材２に接着して固定されていることが好ましい一形態である。電極片３が導電性ペースト２０によって封止材２に固定されることにより、電極片３の封止材２側での固定性を高めることができる。また、電極片３においては、延伸部である固定片３２の先端と、基部である支持片３１との両方が、導電性ペースト２０で固定されるため、効率よく電極片３を接着し固定することができる。導電接着部２２に用いる導電性ペースト２０と導電固定部２１に用いる導電性ペースト２０とは、異なるものであってもよいが、同じものである方が好ましい。それにより、同じ材料の導電性ペースト２０を用いて電極片３の両端部を固定することができるため、電極片３を容易に接着し固定することができる。
【０１１６】
図７の形態は、例えば、図４（ａ）に示すように電極片３を基板１に近づける際に、封止材２の表面に導電性ペースト２０を設けておくことによって形成することができる。あるいは、電極片３における支持片３１の封止材２側の表面に導電性ペースト２０を設けておいてもよい。そして、固定片３２と基板１との間、及び、支持片３１と封止材２との間の両方に導電性ペースト２０が設けられた状態で、導電性ペースト２０を熱硬化させることにより、電極片３を固定することができる。硬化により、固定片３２の先端に接して設けられた導電性ペースト２０からは導電固定部２１が形成され、支持片３１と封止材２との間に挟まれた導電性ペースト２０からは導電接着部２２が形成される。
【０１１７】
図８は、有機ＥＬ素子の実施形態の他の一例であり、電極片３の付近を拡大して図示している。本形態では、導電性ペースト２０によって形成される導電固定部２１及び導電接着部２２の構造が異なる以外は、図７の形態と同じ構成となっている。
【０１１８】
図８の形態では、図７の形態と同様に、電極片３は、導電性ペースト２０によって形成された導電接着部２２によって封止材２に接着され、図６の形態と同様に、導電固定部２１は、固定片３２の内面にも設けられている。そして、導電固定部２１と導電接着部２２とが連結している。すなわち、電極片３は、その内面側が、電極引き出し部５、封止材２の側面及び封止材２の表面にわたって連結して一体化された導電性ペースト２０によって固着されている。このように、導電固定部２１と導電接着部２２とが連結すると、連結した導電部材により接着することができるため、固定性をさらに高めることができる。さらに、本形態では、導電固定部２１は、固定片３２の封止材２側の面に形成されるともに、封止材２の側面に接して形成されている。すなわち、導電固定部２１は、封止材２と固定片３２との間の隙間を埋めるように、その隙間に導電性ペースト２０が充填されて形成されている。このように、導電固定部２１が封止材２と固定片３２との間を埋めるように形成されると、電極片３を封止材２に強力に固定することができるため、電極片３の固定性を向上することができる。
【０１１９】
図８の形態は、例えば、図４（ａ）に示すように電極片３を基板１に近づける際に、封止材２の表面及び側面に導電性ペースト２０を設けておくことによって形成することができる。あるいは、電極片３の封止材２側の表面全体（支持片３１及び固定片３２の内面全体）に導電性ペースト２０を設けておいてもよい。そして、固定片３２と基板１との間、固定片３２の内面と封止材２の側面との間、及び、支持片３１と封止材２の表面との間に、導電性ペースト２０が設けられた状態で、導電性ペースト２０を熱硬化させることにより、電極片３を固定することができる。硬化により、導電性ペースト２０のうち、固定片３２の先端側において電極引き出し部５に接して設けられた部分からは導電固定部２１が形成され、支持片３１と封止材２との間に挟まれた部分からは導電接着部２２が形成され、これらは連結して一体化される。
【０１２０】
ところで、図４〜図８の形態では、導電性ペースト２０（導電固定部２１及び導電接着部２２）が、電極片３の一部又は全部を被覆していてもよい。導電性ペースト２０で被覆することにより固定性を高めることができる。例えば、封止材２の側部において電極片３（固定片３２）を導電固定部２１で被覆すると電極片３を強く固定することができる。
【０１２１】
図９は、有機ＥＬ素子の実施形態の他の一例であり、電極片３の付近を拡大して図示している。本形態では、電極片３の封止材２側の固定構造が異なる以外は、図７の形態とほぼ同様の構成となっている。
【０１２２】
図９の形態では、図７の形態と同様に、電極片３は、封止材２に導電性ペースト２０によって形成された導電接着部２２によって接着され、基板１側に導電性ペースト２０によって形成された導電固定部２１によって接着されている。
【０１２３】
そして、本形態では、封止材２の表面に取出し電極拡張部２３が設けられ、電極片３は、導電接着部２２によって取出し電極拡張部２３に接着されている。このように、取出し電極拡張部２３を封止材２の表面に設けることにより、電極片３と電気的に接続された取出し電極拡張部２３に外部電源を繋げて接続することができる。そのため、より広い範囲で外部電源と接続することができるとともに、電気配線の接続性を高めることができる。また、取出し電極拡張部２３を設けた場合、電極片３の封止材２表面側の長さを短くすることができるため、電極片３の使用量を下げることができ、効率よく電機接続を行うことができる。また、電極材料で構成される取出し電極拡張部２３と電極片３とを導電性ペースト２０で接着した場合、接着性を高めることができ、電極片３をより強力に固定することができる。
【０１２４】
取出し電極拡張部２３は、導電性の材料を封止材２に積層した層として形成することができる。例えば、銅、銀、金、アルミなど、電極として使用可能な、適宜の金属材料で構成してよい。取出し電極拡張部２３の形成は、特に限定されるものではないが、封止材２の表面に、導電材料をスパッタ、めっき、印刷、蒸着などの成膜法で成膜することにより形成することができる。取出し電極拡張部２３は、封止を行う前に形成してもよいし、封止を行った後に形成してもよい。有機ＥＬ素子を破損しないようにするためには、封止を行う前の、基板１に接着されていない状態の封止材２に取出し電極拡張部２３を形成することがより好ましい。電極片３の接着及び固定は、図７の形態と同様の方法で行うことができる。図９の形態では、導電固定部２１と導電接着部２２とが別々に形成された形態が示されているが、もちろん、本形態においても、図８の形態と同様に、導電固定部２１と導電接着部２２とは連結していてもよい。その場合、固定性をさらに高めることができる。なお、取出し電極拡張部２３は、導電性の金属テープを貼り付けたりすることによって形成してもよい。その場合、簡単に取出し電極拡張部２３を設けることができる。
【０１２５】
図１０は、有機ＥＬ素子の実施形態の他の一例であり、電極片３の付近を拡大して図示している。本形態では、封止材２に配線板２４が設けられていること以外は、図９の形態とほぼ同様の構成となっている。
【０１２６】
図１０の形態では、図９の形態と同様に、電極片３は、封止材２に導電性ペースト２０によって形成された導電接着部２２によって封止材２に固定されている。導電接着部２２は、電極片３と取出し電極拡張部２３とを接着している。
【０１２７】
そして、本形態では、有機ＥＬ素子は、封止材２の表面に配線板２４を備えている。取出し電極拡張部２３は配線板２４の表面に設けられている。電極片３は、導電接続部２９によって取出し電極拡張部２３に電気的に接続されている。導電接続部２９は導電接着部２２によって構成されている。そのため、電極片３は、導電接着部２２によって取出し電極拡張部２３に接着されている。電極片３の支持片３１が、取出し電極拡張部２３に接着している。このように、配線板２４に取出し電極拡張部２３を設けるとともにこの配線板２４を封止材２に接着し、さらに、電極片３を、配線板２４に設けられた取出し電極拡張部２３に接続するようにしている。それにより、配線板２４を貼り付けるだけで封止材２の表面に取出し電極拡張部２３を設けることができるため、簡単に安全に取出し電極拡張部２３を設けることができる。また、取出し電極拡張部２３は配線板２４に設けられるため、適宜のパターンで取出し電極拡張部２３を設けたり、配線板２４に回路パターンを設けたりすることができ、電気接続性を向上したり、回路パターンの自由度を向上したりすることができる。
【０１２８】
配線板２４としては、絶縁層の表面に導電材料層が形成されたタイプの適宜の配線板２４を用いることができる。配線板２４は、絶縁材料が硬化して絶縁層が形成された板状のものであってよい。また、配線板２４として、フレキシブル配線板を用いることも好ましい。フレキシブルな場合、シート状のものや、湾曲可能なものや、ロール状に巻き上げ可能なものなどを用いることにより、取扱い性を高めることができ、配線板２４の貼り付けをより簡単に行うことができる。配線板２４に形成される取出し電極拡張部２３は、目的とする取出し電極拡張部２３のパターンで積層形成されたものであってもよいし、表面の導電層がエッチングなどによってパターン加工されて形成されたものであってもよい。
【０１２９】
配線板２４は、封止材２の表面に両面テープや接着剤によって貼り付けることができる。電極片３の接着及び固定は、図７及び図９の形態と同様の方法で行うことができる。図１０の形態では、導電固定部２１と導電接着部２２とが別々に形成された形態が示されているが、もちろん、本形態においても、図８の形態と同様に、導電固定部２１と導電接着部２２とは連結していてもよい。その場合、固定性をさらに高めることができる。
【０１３０】
配線板２４の本体材料（絶縁層）としては、ＦＲ４などのプリント基板、ポリイミドなどのフレキシブル基板、セラミック基板、シリコン基板などを用いることができる。配線板２４に設ける電極材料としては、表層からＡｕ／Ｎｉ／Ｃｕとなった積層構造などを用いることができるが、これに限定されるものではない。
【０１３１】
図１１は、有機ＥＬ素子の実施形態の他の一例であり、電極片３の付近を拡大して図示している。図１１（ａ）は断面図である。図１１（ｂ）は平面図であるが、配線板２４より外側は記載を省略している。本形態では、封止材２に配線板２４が設けられている点で、図１０の形態と同じであるが、電極片３と取出し電極拡張部２３との接続構造が、図１０の形態とは異なっている。
【０１３２】
図１１の形態では、図１０の形態と同様に、取出し電極拡張部２３を有する配線板２４が、封止材２の表面に設けられている。この配線板２４は封止材２よりも外部にはみ出して設けられている。そして、電極片３は屈曲しておらず、直線状（平坦な板状又はピン状）となっている。電極片３は、取出し電極拡張部２３が設けられた位置において配線板２４を貫通して突き抜けており、この電極片３の配線板２４から突き抜けた部分が、導電性ペースト２０で形成された導電接着部２２によって固定されている。図１１の形態では、屈曲していない電極片３、例えば、金属板、金属ピンなどを用いて電極の取出しを行うことができる。そのため、電極片３の構成を簡単にして電機接続することができる。また、取出し電極拡張部２３を配線板２４を貼り付けるだけで封止材２の表面に設けることができるため、簡単に安全に取出し電極拡張部２３を設けることができる。また、取出し電極拡張部２３は配線板２４に設けられるため、適宜のパターンで取出し電極拡張部２３設けたり、配線板２４に回路パターンを設けたりすることができ、電気接続性を向上したり、回路パターンの自由度を向上したりすることができる。
【０１３３】
配線板２４としては、図１０の形態で説明したものと同様のものを用いることができる。図１１（ｂ）に示すように、短冊状となった配線板２４を用いてもよい。配線板２４は取出し電極拡張部２３が設けられた位置において貫通孔を有することが好ましい。それにより、電極片３を貫通孔に挿入して取り付けることができる。また、電極片３の先端を尖らせて、電極片３の先端で配線板２４に孔をあけるようにしてもよい。その場合、簡単に配線板２４に電極片３を貫通させることができる。取出し電極拡張部２３は、線状に設けられる場合、電極片３が設けられる部分において幅太になっているものであってよい。
【０１３４】
配線板２４は、封止材２の表面に両面テープや接着剤によって貼り付けることができる。電極片３の接着及び固定は、図１０の形態の方法に準じた方法で行ってもよい。すなわち、配線板２４を封止材２に貼り付けた後、電極片３を配線板２４の外側から近づけて貫通孔に挿入し、配線板２４を貫通した電極片３の先端を電極引き出し部５及び導電性ペースト２０に接触させることにより行うことができる。あるいは、先端の尖った電極片３を用い、電極片３の先端で貫通孔を形成し、配線板２４を貫通した電極片３を電極引き出し部５上の導電性ペースト２０に接触させてもよい。その後、電極片３の配線板２４から飛び出た部分に導電性ペースト２０を設け、熱硬化により導電性ペースト２０を硬化させることにより、電極片３を固着させることができる。また、配線板２４を貼り付ける前に、先に、電極片３を電極引き出し部５に導電性ペースト２０によって接着していてもよい。この場合、電極片３を貫通させながら配線板２４を封止材２に貼り付けて、その後、電極片３の配線板２４から飛び出た部分を導電性ペースト２０で接着固定することになる。
【０１３５】
図１２は、有機ＥＬ素子の実施形態の他の一例であり、電極片３の付近を拡大して図示している。本形態では、絶縁壁部２５が設けられていること以外は、図９の形態とほぼ同様の構成となっている。
【０１３６】
本形態では、基板１における電極引き出し部５の外側に、絶縁性を有する絶縁壁部２５が設けられている。このように絶縁壁部２５を設けることにより、有機ＥＬ素子が外周部において絶縁距離を確保することができ、絶縁不良を低下することができる。また、複数の有機ＥＬ素子を線状に又は面状に並べたときには、隣り合う素子同士において電極が接触するとショートするおそれがあるが、絶縁壁部２５で絶縁距離を確保することにより、ショート不良を抑制することができる。また、導電性ペースト２０を用いる場合、導電性ペースト２０は流動性を有するため、外部に向かって流れ出る可能性があるが、絶縁壁部２５によって導電性ペースト２０の流れをせき止めることができるため、ショート不良をより有効に抑制することができる。特に、導電性ペースト２０を押し潰して固定片３２を接触させる場合には、固定片３２を押し当てたときに導電性ペースト２０が横に流れ出やすくなるが、絶縁壁部２５によって導電性ペースト２０が広がるのをせき止めることができる。絶縁壁部２５と導電固定部２１とは接していなくてもよいし、接していてもよい。導電性ペースト２０の流出がせき止められ、その状態で硬化した場合には、絶縁壁部２５と導電固定部２１とは接することになる。
【０１３７】
絶縁壁部２５は、電極引き出し部５の厚みよりも厚み（壁の高さ）が厚いことが好ましい。それにより、導電性ペースト２０が流れ出るのをくい止めることができる。絶縁壁部２５は、基板１の外周部に亘って設けられるものであってよい。それにより、導電性ペースト２０が流れるのを抑えることができる。
【０１３８】
なお、隣り合う素子を導通させる場合は、その部分において、絶縁壁部２５の一部又は全部が設けられていなくてもよい。例えば、導通部分において絶縁壁部２５が分断されていてもよい。その場合、電極引き出し部５や導電固定部２１が基板１の端縁にまで延伸して形成されていてもよい。
【０１３９】
絶縁壁部２５は電極引き出し部５と接していてもよいし、接していなくてもよい。絶縁壁部２５と電極引き出し部５とが隙間なく接触している場合、非発光領域の割合をより小さくすることができる。一方、絶縁壁部２５と電極引き出し部５とが接触しておらず、隙間が設けられている場合、流出した導電性ペースト２０を隙間に流して貯めることができるため、端部での導電性ペースト２０の流れ出しをより抑制することができ、絶縁性を向上することができる。
【０１４０】
絶縁壁部２５は内部側で電極引き出し部５の表面に重なっていてもよい。それにより、絶縁壁部２５の厚みが大きくなって導電性ペースト２０が流れ出るのをより抑制することができる。
【０１４１】
絶縁壁部２５は、適宜の絶縁材料で形成することができる。例えば、絶縁壁部２５は、樹脂などにより構成することができる。その場合、基板１の表面に絶縁樹脂を、ディスペンサーなどにより塗布して硬化させることにより、絶縁壁部２５を形成することができる。あるいは、線状の樹脂体を基板１の外周端部に貼り付けて、絶縁壁部２５を形成するようにしてもよい。絶縁壁部２５が設けられた状態で、導電性ペースト２０を塗布すると、導電性ペースト２０は絶縁壁部２５に当たってせき止められるため、外部側に流出しなくなる。そして、導電性ペースト２０を硬化することにより、導電固定部２１と絶縁壁部２５とが接触した状態で硬化が完了する。
【０１４２】
また、絶縁壁部２５の硬化と導電性ペースト２０の硬化とを同時に行うようにしてもよい。例えば、形状の保持性を有する粘度の高い樹脂材料で絶縁壁部２５を形成し、この未硬化の絶縁壁部２５で導電性ペースト２０をせき止め、その後、加熱して絶縁壁部２５と導電性ペースト２０を同時に硬化させることができる。この場合、熱硬化を同時に行うことができるので、効率よく電極片３の取り付けを行うことができる。このとき、導電性ペースト２０と未硬化の絶縁壁部２５が混じらないように材料を設定するようにする。ただし、より確実に導電性ペースト２０の流出を抑制するためには、絶縁壁部２５を硬化させた後に、導電性ペースト２０を塗布する方が好ましい。
【０１４３】
絶縁壁部２５の形成は、封止を行った後に行うことが好ましい。それにより、素子を傷つけることなく簡単に絶縁壁部２５を設けることができる。もちろん、絶縁壁部２５は、封止が終わる前の適宜の段階で形成することもできる。例えば、第１電極７及び電極引き出し部５が設けられる前の基板１の表面に形成したり、電極引き出し部５が設けられ有機層８が積層される前の基板１の表面に形成したりしてもよい。
【０１４４】
図１２の形態では、図９の形態に絶縁壁部２５が設けられたものを図示しているが、絶縁壁部２５は導電性ペースト２０を用いる他の形態（図４〜１１参照）にも設けることができる。その場合も、絶縁壁部２５を設けることにより、絶縁距離を確保することができ、導通信頼性の高い素子を得ることができる。
【０１４５】
図１３は、有機ＥＬ素子の実施形態の他の一例であり、電極片３の付近を拡大して図示している。本形態では、図１２の形態と同様に、絶縁壁部２５が設けられている。基板１端部の形状が異なること以外は、図１２の形態とほぼ同様の構成となっている。図１２の形態と同じ構成については同じ符号を付して説明を省略する。
【０１４６】
本形態では、基板１における電極引き出し部５の外側に、絶縁性を有する絶縁壁部２５が設けられている。そのため、図１２の形態と同様の作用効果を有する。
【０１４７】
さらに、本形態では、基板１の表面と側面との境界部に、電極引き出し部５よりも外側の位置において、段部１ａが形成されている。段部１ａは、基板１の表面が端部において凹んだ部分である。そして、絶縁壁部２５は、段部１ａの表面に接して形成されおり、導電固定部２１は、絶縁壁部２５に接している。そのため、導電性ペースト２０を基板１の段部１ａに留まらせることができるので、基板１の外周部の絶縁性をさらに高めることができる。
【０１４８】
絶縁壁部２５は、段部１ａの底面に形成されている。絶縁壁部２５は段部１ａの側面と接していないことが好ましい。すなわち、絶縁壁部２５と段部１ａの側面との間に隙間が設けられていることが好ましい。それにより、その隙間に導電性ペースト２０を入り込ませて貯めることができるため、導電性ペースト２０の流出をさらに抑制することができる。
【０１４９】
絶縁壁部２５の形成方法及び材料は、図１２の形態と同様である。
【０１５０】
図１４は、有機ＥＬ素子の実施形態の他の一例であり、電極片３の付近を拡大して図示している。本形態では、図１２及び図１３の形態と同様に、絶縁壁部２５が設けられている。絶縁壁部２５の形状が異なること以外は、図１３の形態とほぼ同様の構成となっている。図１２及び図１３の形態と同じ構成については同じ符号を付して説明を省略する。
【０１５１】
本形態では、図１３の形態と同様に、段部１ａが形成され、その段部１ａに接して絶縁壁部２５が形成されている。そして、絶縁壁部２５は、導電固定部２１の外部側の表面を被覆している。このように、絶縁壁部２５は、導電固定部２１を被覆することが好ましい一態様である。それにより、外周部における絶縁性をさらに高めることができる。また、段部１ａを設けることにより、導電性ペースト２０により形成される導電固定部２１が外部にはみ出すことを抑制することができる。
【０１５２】
絶縁壁部２５は、導電固定部２１が形成された後に設けることができる。それにより、容易に導電固定部２１を被覆することができる。例えば、導電性ペースト２０で電極片３を固定し、その後、導電性ペースト２０の硬化により形成された導電固定部２１を被覆するように絶縁材料を塗布することにより、絶縁壁部２５を形成することができる。もちろん、絶縁壁部２５は、導電性ペースト２０と混じらないのであれば、導電固定部２１を形成するための導電性ペースト２０が配置され、その導電性ペースト２０が硬化する前に、絶縁材料を塗布することにより形成されてもよい。
【０１５３】
ところで、図４〜１４のような導電性ペースト２０を用いる各形態においても、支持片３１の端部が電極片支持体４によって支持固定されていてもよい。その場合、電極片支持体４によって固定性をさらに高めることができる。
【０１５４】
図１５は、有機ＥＬ素子の実施形態の他の一例である。本形態では、封止構造が異なる以外は、図１の形態と同じ構成となっている。図１の形態と同じ構成については、同じ符号を付して説明を省略する。
【０１５５】
図１５の形態では、封止材２は、基板１に対向し表面が平坦な平板状の対向基板２ａと、対向基板２ａの外周部における基板１と対向基板２ａとに挟まれた部分に設けられた封止側壁２ｂとによって構成されている。対向基板２ａは、ガラス基板などによって構成することができる。封止側壁２ｂは封止樹脂材によって構成することができる。封止樹脂材としては、熱硬化性又は光硬化性の樹脂組成物を用いることができる。封止樹脂材には乾燥剤が含まれていることが好ましい。また、封止樹脂材は接着性を有することが好ましく、その場合、封止樹脂材によって、対向基板２ａを基板１に接着することができる。封止側壁２ｂの厚みは有機発光体１０よりも厚くなっている。それにより、有機発光体１０の厚み分のスペースを確保して、平坦な対向基板２ａで封止することができる。また、封止間隙６には、充填剤６ｂが充填されている。充填剤６ｂは乾燥剤を含むとともに接着性を有することが好ましい。封止側壁２ｂは、充填剤６ｂを充填する際にせき止めるいわばダム層として機能することができる。
【０１５６】
本形態では、封止材２の高さは、封止側壁２ｂの厚み（高さ）と対向基板２ａの厚みとを足したものとなる。ここで、封止側壁２ｂは樹脂によって構成され得るものであり、厚みを簡単に調整できるものである。したがって、封止材２の高さ調整を容易に行うことができるため、電極片３の固定片３２の長さに応じて、封止材２の高さを調整することが可能であり、電極片３と電極引き出し部５との間の距離や、電極片３による押し付け力を調整することができる。
【０１５７】
本形態では、電極片３の押し当てにより電極片３を電極引き出し部５に強く固定することができる。このとき、導電性ペースト２０は設けられていなくてもよい。また、本形態でも、電極片３は、導電性ペースト２０によって、基板１側及び封止材２側の一方又は両方に、接着及び固定されていてもよい。その場合、固定片３２は押し付けられていてもよいし、押し付けられていなくてもよい。
【０１５８】
図１６は、有機ＥＬ素子の実施形態の他の一例であり、電極片３の付近を拡大して図示している。本形態では、電極片３の形状が異なる以外は、図１の形態と同じ構成となっている。図１の形態と同じ構成については、同じ符号を付して説明を省略する。
【０１５９】
図１６の形態では、電極片３は、固定片３２の先端が内側に折り曲げられて形成された面当て片３３を有して構成されている。面当て片３３は固定片３２と略垂直に形成されており、基板１の表面と平行に配置されている。このように、面当て片３３を設けると、面当て片３３の表面によって面状に接合したり押し当てたりすることができるため、電極引き出し部５との接触面積が大きくすることができ、電気接続性を高めることができる。また、先端部分が尖った片によって電極片３を押し当てると、電極引き出し部５や基板１を傷つけたりするおそれがあるが、本形態では面当て片３３により面状に電極片３を押し当てることができるので、素子を傷つけるのを抑制することができる。
【０１６０】
本形態では、電極片３の押し当てにより電極片３を電極引き出し部５に強く固定することができる。このとき、導電性ペースト２０は設けられていなくてもよい。また、本形態でも、電極片３は、導電性ペースト２０によって、基板１側及び封止材２側の一方又は両方に、接着及び固定されていてもよい。その場合、面当て片３３は電極引き出し部５に直接接触していなくてもよい。このとき、面当て片３３は、導電性ペースト２０（導電固定部２１）を介して電極引き出し部５に電気的に接続されていればよい。
【０１６１】
図１７は、有機ＥＬ素子の実施形態の他の一例であり、電極片３の付近を拡大して図示している。本形態では、電極片３を支持する構造が異なる以外は、図１の形態と同じ構成となっている。図１の形態と同じ構成については、同じ符号を付して説明を省略する。
【０１６２】
図１７の形態では、電極片３は、封止材２とは離間した位置で電極片支持体４に端部が埋められて支持固定されており、電極片３と封止材２の表面との間には隙間が形成されている。そのため、電極片３はより大きなバネ状の変形をすることが可能となり、バネ性を高めて強く電極片３を押し当てることができる。また、電極片支持体４によって、電極片３の高さ位置を調整することができるので、バネの付勢力を簡単に調整することができる。また、押し当てる力が調整しやすくなるため、電気接続性を高めることができる。
【０１６３】
図１７の形態においては、電極片支持体４を封止材２側の第１層（基体部）と、第１層と対向する第２層（被覆部）とで構成し、第１層と第２層とで支持片３１の端部を挟みこんで電極片３を支持固定してもよい。その場合、第１層をまず積層形成した後に、電極片３を配設し、その後、第２層を形成することが好ましい。それにより、第１層の高さを調整しやすくなり、バネ性をより調整しやすくすることができる。
【０１６４】
また、図１７の形態においては、電極片支持体４をプラスチック材などの筐体で形成してもよい。その場合、電極片３をあらかじめ電極片支持体４に嵌め込んで固定し、電極片３が固定された電極片支持体４を封止材２に固着することにより、電極片３を押し当てて取り付けることができる。電極片支持体４の固着には接着剤などを用いることができる。
【０１６５】
本形態では、電極片３の押し当てにより電極片３を電極引き出し部５に強く固定することができる。このとき、導電性ペースト２０は設けられていなくてもよい。また、本形態でも、電極片３は、導電性ペースト２０によって、基板１側及び封止材２側の一方又は両方に、接着及び固定されていてもよい。その場合、固定片３２の先端は電極引き出し部５に直接接触していてもよいし、接触していなくてもよい。
【０１６６】
図１８は、有機ＥＬ素子の実施形態の他の一例であり、電極片３の付近を拡大して図示している。本形態では、電極片３を支持する構造が異なる以外は、図１の形態と同じ構成となっている。図１の形態と同じ構成については、同じ符号を付して説明を省略する。
【０１６７】
図１８の形態では、電極片３は、封止材２の表面に支持片３１の端部が接着されて支持固定されている。電極片３の接着は両面テープなどで行うことができる。そして、本形態では、電極片３の端部を覆って支持固定する電極片支持体４は設けられていない。そのため、簡単に電極片３を支持固定することができ、電極片３の取り付けが容易になる。
【０１６８】
なお、電極片３の支持固定構造は、電極片支持体４を用いるものや、両面テープを用いるものに限られるものではない。例えば、封止材２の表面端部に溝状の凹部を設け、この凹部に支持片３１の端部を嵌め込んで電極片３を支持固定してもよい。
【０１６９】
本形態では、電極片３の押し当てにより電極片３を電極引き出し部５に強く固定することができる。このとき、導電性ペースト２０は設けられていなくてもよい。また、本形態でも、電極片３は、導電性ペースト２０によって、基板１側及び封止材２側の一方又は両方に、接着及び固定されていてもよい。その場合、固定片３２の先端は電極引き出し部５に直接接触していてもよいし、接触していなくてもよい。
【０１７０】
図１９は、有機ＥＬ素子の実施形態の他の一例であり、電極片３の付近を拡大して図示している。本形態では、電極片３の構成及び電極片３の支持構造が異なる以外は、図１８の形態と同じ構成となっている。上記の形態と同じ構成については、同じ符号を付して説明を省略する。
【０１７１】
図１９の形態では、電極片３は、一体となった金属片によって構成されておらず、複数（本形態では二つ）の金属片によって構成されている。具体的には、電極片３は、支持片３１を構成する第１の金属片と、固定片３２を構成する第２の金属片によって構成されている。支持片３１の端部は、図１８の形態と同様に、両面テープなどによって封止材２に支持固定されていてよい。あるいは、図１の形態と同様に、支持片３１の端部は電極片支持体４によって支持固定されていてもよい。そして、支持片３１の封止材２からはみ出した方の端部（延伸部）は固定片３２の一方の端部を基板１側に押さえ付けており、この押さえ付ける力によって固定片３２の他方の端部（基板１側の端部）は電極引き出し部５に押し当てられている。本形態では、表面が平坦な平板状の金属片を用いて電極片３を構成することができるため、簡単に電極片３の押し当て構造を形成することができる。
【０１７２】
本形態では、電極片３の押し当てにより電極片３を電極引き出し部５に強く固定することができる。このとき、導電性ペースト２０は設けられていなくてもよい。また、本形態でも、電極片３は、導電性ペースト２０によって、基板１側及び封止材２側の一方又は両方に、接着及び固定されていてもよい。その場合、固定片３２の先端は電極引き出し部５に直接接触していてもよいし、接触していなくてもよい。また、支持片３１と固定片３２とが導電性ペースト２０によって接着されていてもよい。
【０１７３】
図２０は、有機ＥＬ素子の実施形態の他の一例であり、電極片３の付近を拡大して図示している。本形態では、電極片３の構成が異なる以外は、図１９の形態と同じ構成となっている。上記の形態と同じ構成については、同じ符号を付して説明を省略する。
【０１７４】
図２０の形態では、図１９の形態と同様に、電極片３は、一体となった金属片によって構成されておらず、複数（本形態では二つ）の金属片によって構成されている。また、支持片３１の封止材２からはみ出した方の端部（延伸部）は固定片３２の一方の端部を基板１側に押さえ付けており、この押さえ付ける力によって固定片３２の他方の端部（基板１側の端部）は電極引き出し部５に押し当てられている。なお、図２０では、電極片支持体４を設けていない形態を示しているが、もちろん、電極片支持体４を設けてもよい。
【０１７５】
さらに、本形態では、支持片３１が外側に延伸して、電極引き出し部５に固定される位置（電極引き出し部５を押し当てる位置）よりも外側にはみ出している。支持片３１における固定片３２よりも外側にはみ出した領域は、端子部１２となり、他の端子と電気的接続が可能な部分となっている。
【０１７６】
このように、電極片３は、電極引き出し部５を押し当てる位置、すなわち、電極片３が電極引き出し部５に固定される位置よりも外側にはみ出した端子部１２を有することが好ましい一形態である。その場合、複数の有機ＥＬ素子を面状に配設して発光面積の大きい面状発光装置を得るときに、この端子部１２を用いて隣り合う有機ＥＬ素子を電気接続することができ、連結接続性を高めることができる。
【０１７７】
支持片３１の外部側の端縁の位置は、基板１の端縁と略同じ位置であってよい。基板１の端縁まで金属片が延伸することにより、接続性を高めることができる。
【０１７８】
本形態では、電極片３の押し当てにより電極片３を電極引き出し部５に強く固定することができる。このとき、導電性ペースト２０は設けられていなくてもよい。また、本形態でも、電極片３は、導電性ペースト２０によって、基板１側及び封止材２側の一方又は両方に、接着及び固定されていてもよい。その場合、固定片３２の先端は電極引き出し部５に直接接触していてもよいし、接触していなくてもよい。また、支持片３１と固定片３２とが導電性ペースト２０によって接着されていてもよい。
【０１７９】
図２１は、有機ＥＬ素子の実施形態の他の一例であり、電極片３の付近を拡大して図示している。図２１では、端子部１２を形成する電極片３の他の一例が示されている。上記の形態と同じ構成については、同じ符号を付して説明を省略する。
【０１８０】
本形態の電極片３では、固定片３２は、支持片３１の両側部において分岐して形成されている。電極片３における固定片３２が分岐された位置からは、支持片３１に連続して外側に延伸することにより外側方に突出する端子片３４が分岐されて形成されている。この電極片３は、金属片の切り込み加工及び折り曲げ加工により形成することができるものである。本形態では、図２０の形態と同様に、端子部１２が設けられているため、隣り合う有機ＥＬ素子を簡単に電気接続することができる。
【０１８１】
図２１に示す電極片３では、一体化した部材として電極片３を形成することができる。そのため、電極片３の強度を高めることができ、バネ性を高めて押し当て力を強くすることができる。また、一体化した電極片３により外側方に飛び出す端子部１２を簡単に形成することができる。なお、図２１では、電極片支持体４を設けていない形態を示しているが、もちろん、電極片支持体４を設けてもよい。
【０１８２】
本形態では、電極片３の押し当てにより電極片３を電極引き出し部５に強く固定することができる。このとき、導電性ペースト２０は設けられていなくてもよい。また、本形態でも、電極片３は、導電性ペースト２０によって、基板１側及び封止材２側の一方又は両方に、接着及び固定されていてもよい。その場合、固定片３２の先端は電極引き出し部５に直接接触していてもよいし、接触していなくてもよい。
【０１８３】
図２２は、有機ＥＬ素子の実施形態の他の一例である。図２２（ａ）は電極片３を取り付ける前の様子を示し、図２２（ｂ）は電極片３を取り付けた後の様子を示している。上記の形態と同じ構成については、同じ符号を付して説明を省略する。
【０１８４】
図２２（ａ）に示すように、本形態では電極片３には複数の突起１３が設けられている。そして、図２２（ｂ）に示すように、電極片３の取り付けによって突起１３が押し潰されて突起潰れ部１３ａが形成されている。このように、電極片３と電極引き出し部５とは、境界部分において導電性を有する複数の突起１３が押し潰されて接続されていることが好ましい。複数の突起１３を押し潰して電極片３を押し当てることにより、電気接続性を高めることができる。なお、図２２では、電極片支持体４を設けていない形態を示しているが、もちろん、電極片支持体４を設けてもよい。
【０１８５】
図２２（ａ）に示すように、本形態では、電極片３の固定片３２の先端に複数の突起１３が設けられている。突起１３は電極片３の材料で構成してもよいし、他の導電材料で構成してもよい。そして、電極片３を基板１に封止材２側から近づけて支持片３１の端部を支持固定するとともに、固定片３２を基板１に向かって押し当てる。すると、図２２（ｂ）に示すように、固定片３２の押し付けによって突起１３は押し潰されて、電極片３と電極引き出し部５の境界部分に突起１３が押し潰されて形成された突起潰れ部１３ａが形成される。そのため、電気接続性を高めることができるものである。なお、図２２では、電極片３に突起１３を設けたものを示したが、突起１３は取出し電極１１の表面に設けられていてもよい。要するに、突起１３は電極片３と電極引き出し部５との境界部分にあればよいものである。
【０１８６】
本形態では、電極片３の押し当てにより電極片３を電極引き出し部５に強く固定することができる。このとき、導電性ペースト２０は設けられていなくてもよい。また、本形態でも、電極片３は、導電性ペースト２０によって、基板１側及び封止材２側の一方又は両方に、接着及び固定されていてもよい。導電性ペースト２０を用いた場合、突起１３が導電性ペースト２０（導電固定部２１）に埋め込まれていてもよい。
【０１８７】
図２３は、有機ＥＬ素子の実施形態の他の一例であり、電極片３の付近を拡大して図示している。上記の形態と同じ構成については、同じ符号を付して説明を省略する。
【０１８８】
図２３の形態では、電極片３の固定片３２は、上下両端部に開口部を有する筒状の筐体１５に収められている。筐体１５は、樹脂、プラスチックなど絶縁性材料で構成されるものであってもよいし、金属製のものであってもよい。筒状の筐体１５の高さは固定片３２の長さよりも短くなっており、固定片３２の先端は筐体１５よりも外側（基板１側）にはみ出している。そして、筐体１５からはみ出した固定片３２の先端が電極引き出し部５に押し当てられている。
【０１８９】
本形態では、筐体１５により電極片３の固定片３２が包まれているので、電極片３が傷ついたり破壊されたりすることを抑制することができる。また、筐体１５は基板１に接着されていてもよい。その場合、固定強度をさらに高めることができる。なお、本形態では、固定片３２を包み込む筐体１５を示したが、筐体１５はこれに限定されるものではなく、取出し電極１１を確保できるのであれば、支持片３１を包んでよい。なお、図２３では、電極片支持体４を設けていない形態を示しているが、もちろん、電極片支持体４を設けてもよい。
【０１９０】
本形態では、電極片３の押し当てにより電極片３を電極引き出し部５に強く固定することができる。このとき、導電性ペースト２０は設けられていなくてもよい。また、本形態でも、電極片３は、導電性ペースト２０によって、基板１側及び封止材２側の一方又は両方に、接着及び固定されていてもよい。導電性ペースト２０を用いた場合、筐体１５と導電性ペースト２０（導電固定部２１）とが接触していてもよい。
【０１９１】
図２４は、有機ＥＬ素子の実施形態の他の一例であり、電極片３の付近を拡大して図示している。上記の形態と同じ構成については、同じ符号を付して説明を省略する。
【０１９２】
図２４の形態では、電極片３と電極引き出し部５とは、境界部分近傍において導電性を有する弾性部１４が押し付けられて接続されている。このように弾性部１４が設けられることにより、弾性部１４の反発力により押し当て力を高めることができる。
【０１９３】
図２４の形態では、電極片３の固定片３２は、電極引き出し部５との境界部の近傍となる位置にコイルバネ状の弾性部１４を有している。弾性部１４は筐体１５内に収められている。それにより、強度が弱くなりやすい弾性部１４を保護することができる。そして、電極片３を押し付けた際には、弾性部１４が縮む方向に変形するが、コイルバネ状となった弾性部１４にはこの変形を戻そうとする力が働く。そして、弾性部１４よりも先端側の固定片３２の先端部が電極引き出し部５を押し当てる。そのため、電気接続性を高めることができる。本形態でも、適宜の成形により、電極片３は一体的に形成することが可能である。あるいは、電極片３は、支持片３１を構成する金属片と固定片３２を構成する金属片とで構成するといったように、複数の金属片で構成するようにしてもよい。また、弾性部１４を別体の部材で構成して金属片に固着させて電極片３を形成するようにしてもよい。
【０１９４】
本形態では、コイルバネ状の弾性部１４を利用して押し当てるため、押し当てた力は弾性部１４において吸収される。そのため、電極片３全体が変形することが抑制されて、電極片３を封止材２の表面に密着させて取り付けることができ、電極片３が変形により出っ張ったりするのを抑制することができる。
【０１９５】
本形態では、電極片３の押し当てにより電極片３を電極引き出し部５に強く固定することができる。このとき、導電性ペースト２０は設けられていなくてもよい。また、本形態でも、電極片３は、導電性ペースト２０によって、基板１側及び封止材２側の一方又は両方に、接着及び固定されていてもよい。導電性ペースト２０を用いた場合、筐体１５と導電性ペースト２０（導電固定部２１）とが接触していてもよい。
【０１９６】
図２５は、有機ＥＬ素子の実施形態の他の一例であり、電極片３の付近を拡大して図示している。上記の形態と同じ構成については、同じ符号を付して説明を省略する。
【０１９７】
図２５の形態では、電極片３と電極引き出し部５とは、境界部分において導電性を有する弾性部１４が押し付けられて接続されている。このように弾性部１４が設けられることにより、弾性部１４の反発力により押し当て力を高めることができる。
【０１９８】
図２５の形態では、電極片３の固定片３２は、電極引き出し部５との境界部である先端部分に伸縮可能な板バネ状の弾性部１４を有している。弾性部１４の先端は筐体１５から飛び出して設けられている。そして、電極片３を押し付けた際には、弾性部１４が縮む方向に変形するが、弾性部１４にはこの変形を戻そうとする力が働く。そして、弾性部１４が変形しながら弾性部１４の反発力で電極引き出し部５を押し当てる。そのため、電気接続性を高めることができる。本形態でも、適宜の成形により、電極片３は一体的に形成することが可能である。あるいは、電極片３は、支持片３１を構成する金属片と固定片３２を構成する金属片とで構成するといったように、複数の金属片で構成するようにしてもよい。また、弾性部１４を別体の部材で構成して金属片に固着させて電極片３を形成するようにしてもよい。
【０１９９】
本形態では、板バネ状の弾性部１４を利用して押し当てるため、押し当てた力は弾性部１４において吸収される。そのため、電極片３全体が変形することが抑制されて、電極片３を封止材２の表面に密着させて取り付けることができ、電極片３が変形により出っ張ったりするのを抑制することができる。
【０２００】
本形態では、電極片３の押し当てにより電極片３を電極引き出し部５に強く固定することができる。このとき、導電性ペースト２０は設けられていなくてもよい。また、本形態でも、電極片３は、導電性ペースト２０によって、基板１側及び封止材２側の一方又は両方に、接着及び固定されていてもよい。導電性ペースト２０を用いた場合、筐体１５と導電性ペースト２０（導電固定部２１）とが接触していてもよい。
【０２０１】
なお、図２４及び図２５の形態では、電極片３側に弾性部１４を設けた例を示したが、弾性部１４は電極引き出し部５側に設けられていてもよい。また、弾性部１４を電極片３とは別体の部材（弾性部材）により構成し、固定片３２と電極引き出し部５との間にこの弾性部材を配設して、弾性部材に電極片３を押し付けるようにしてもよい。
【０２０２】
図２６は、有機ＥＬ素子の実施形態の他の一例であり、電極片３の付近を拡大して図示している。上記の形態と同じ構成については、同じ符号を付して説明を省略する。
【０２０３】
本形態の電極片３では、支持片３１は、封止材２よりも外側にはみ出した部分に、基板１に向かう方向に内側に曲がった内曲り部３１ａが形成されている。そして、固定片３２の長さは封止材２の高さよりも短くなっているが、内曲り部３１ａが形成されて支持片３１の先端部が曲がっているために、固定片３２の先端は電極引き出し部５に押し当てられている。電極片３はいわば塑性変形している。本形態では、固定片３２の長さは封止材２の高さの０．５倍以上１倍未満であってよいが、これに限定されるものではない。
【０２０４】
本形態では、支持片３１と固定片３２との境界部分は内曲り部３１ａが形成されて斜めに傾斜しているので、素子裏面の端部が内側に凹むことになって電極片３で出っ張るようなことを抑制することができる。また、内曲り部３１ａが電極片３全体の変形を吸収することが可能になるので、電極片３の変形による歪が大きくなりすぎて素子に負荷がかかることを抑制することができる。
【０２０５】
本形態では、電極片３の押し当てにより電極片３を電極引き出し部５に強く固定することができる。このとき、導電性ペースト２０は設けられていなくてもよい。また、本形態でも、電極片３は、導電性ペースト２０によって、基板１側及び封止材２側の一方又は両方に、接着及び固定されていてもよい。その場合、固定片３２の先端は電極引き出し部５に直接接触していてもよいし、接触していなくてもよい。
【０２０６】
図２７は、有機ＥＬ素子の実施形態の他の一例であり、電極片３の付近を拡大して図示している。上記の形態と同じ構成については、同じ符号を付して説明を省略する。
【０２０７】
本形態の電極片３では、支持片３１は、封止材２の端部付近から外側にはみ出した部分までにおいて、基板１から離れる方向に外側に曲がった外曲り部３１ｂが形成されている。そして、固定片３２の長さは封止材２の高さよりも長くなっているが、外曲り部３１ｂが形成されて支持片３１の先端部が曲がっているために、固定片３２の先端は適度な押し当て力で電極引き出し部５に押し当てられている。本形態では、固定片３２の長さは封止材２の高さの１倍よりも長く５倍以下であってもよいが、これに限定されるものではない。
【０２０８】
本形態では、支持片３１と固定片３２との境界部分は外曲り部３１ｂが形成されており外曲り部３１ｂが変形することによってバネ性を発揮することができる。そのため、電極片３で押し当てる力を電極引き出し部５に伝えやすくなり、押し当て力を強くすることができる。また、外曲り部３１ｂが変形しながら固定片３２が押し当てられるので、押し当て力を適度なものに調整しやすくすることができる。また、外曲り部３１ｂが電極片３全体の変形を吸収することが可能になるので、電極片３の変形による歪が大きくなりすぎて素子に負荷がかかることを抑制することができる。
【０２０９】
本形態では、電極片３の押し当てにより電極片３を電極引き出し部５に強く固定することができる。このとき、導電性ペースト２０は設けられていなくてもよい。また、本形態でも、電極片３は、導電性ペースト２０によって、基板１側及び封止材２側の一方又は両方に、接着及び固定されていてもよい。その場合、固定片３２の先端は電極引き出し部５に直接接触していてもよいし、接触していなくてもよい。
【０２１０】
図２８は、照明装置の一例を示している。図２８では、発光面から見た様子を示している。この図では、発光領域Ｐの外縁を破線で示している。
【０２１１】
照明装置は、一又は複数の有機ＥＬ素子を備えている。本形態の照明装置では、１つの有機ＥＬ素子は１つの照明パネル１００を構成しており、複数の照明パネル１００が面状に配置されて照明装置が形成されている。複数の有機ＥＬ素子を備える場合は、有機ＥＬ素子を面状に配置することができる。図２８の形態では、縦横のマトリックス状になって、四角形の有機ＥＬ素子が面状に配置されている。複数の有機ＥＬ素子は、固定されていることが好ましい。例えば、有機ＥＬ素子を固定するための固定材を発光面とは反対側に設けることができる。複数の有機ＥＬ素子は、面状に敷き詰められることが好ましい。照明装置は、電気配線を備えるものであってよい。照明装置は、プラグを備えるものであってよい。
【０２１２】
図２８の形態では、縦３個、横３個、合計９個の照明パネル１００が面状に配設されている。照明パネル１００（有機ＥＬ素子）の個数は、４個（２×２個）であっても、１６個（４×４個）であっても、２５個（５×５個）であってもよい。また、縦と横の個数が異なっていてもよい。また、同一方向に列状に並べられていてもよい。
【０２１３】
照明装置においては、上記の有機ＥＬ素子を面状に並べて形成しているので、非発光領域を小さくすることができ、隣り合う有機ＥＬ素子の境界部分の非発光領域を目立ちにくくすることができる。そのため、非発光部分が額縁状や格子状になって目立つことを抑制することができるため、照明性の優れた発光を得ることができる。
【０２１４】
複数の有機ＥＬ素子（照明パネル１００）を面状に配置した場合、隣り合う有機ＥＬ素子においては、電極同士の距離が近くなる。特に、上記の有機ＥＬ素子においては、電極片３を用いることによって電極が引き出された部分をより端部に配置させており、電極間距離が小さくなる。異なる極の電極同士が接触すると短絡が発生するおそれがある。また、同じ極同士の電極が接触しても、照明装置の面内において電流の流れが不均一になり、良好な発光が得られなくなるおそれがある。また、電極が物理的に離間していたとしても、安全のため絶縁性を担保することが求められる。そのため、隣り合う素子間において絶縁距離を確保することが求められる。
【０２１５】
安全上の観点から、隣り合う素子における電極片３は、絶縁距離が大きい方がよい。また、隣り合う素子における導電性ペースト２０の硬化部分は、絶縁距離が大きい方がよい。絶縁距離は、通常、二つの導電部分において、絶縁信頼性のある絶縁物質が間に存在しない場合は、物理的な直線距離で求められ、絶縁信頼性のある絶縁物質が間にある場合には、絶縁信頼性のある絶縁物質を乗り越えるように設定した最短距離で求められる。絶縁信頼性のある絶縁物質とは、絶縁基準を満たした絶縁シートなどが挙げられる。安全上の観点や信頼性の観点から、このようにして設定される絶縁距離を確保することが好ましいのである。
【０２１６】
絶縁性の確保に対しては、図１２〜１４の形態における絶縁壁部２５を設けることが好ましい一態様であるが、絶縁距離を確保するためにさらに好ましい他の態様、あるいは、併用され得る態様も存在する。以下、絶縁距離確保の好ましい他の態様、あるいは、上記の各実施形態と併用され得る態様について説明する。
【０２１７】
図２９（ａ）は、有機ＥＬ素子の実施形態の一例を示しており、図２９（ｂ）は図２９（ａ）の有機ＥＬ素子を用いて形成した照明装置の一部を示している。上記の実施形態と同じ構成については同じ符号を付して説明を省略する。
【０２１８】
本形態では、電極片３は、基板１の両端部に設けられている。この電極片３は、平面視において水平方向の位置が異なるように配置されている。図２９（ａ）では、左右の端部に、複数の電極片３が配置されている形態が示されている。そして、右側に配置された電極片３と、左側に配置された電極片３とは、水平方向の位置が異なっている。この位置の異なる配置は、電極端子が縦方向に配設されていると考えた場合に、横方向での位置が異なる配置といってもよい。あるいは、この図の点線の矢印で示すように、電極端子が形成された方向（側方）から有機ＥＬ素子を見た場合に、基板両端部の電極片３が重複しない領域に設けられている配置といってもよい。いわば、電極片３がずれて配置されていると言える。
【０２１９】
図２９（ｂ）で示すように、本形態の有機ＥＬ素子を面状に配設した場合、隣り合う有機ＥＬ素子の隣接した二つの電極片３は、水平方向で異なる位置で配置される。すなわち、図２９（ｂ）の矢印で示すように、側方から見た場合に、隣接する電極片３が重複しないように配置される。したがって、電極片３の接触を抑制することができるため、絶縁性を高めることができる。また、隣り合う取出し電極１１の距離が離れる。導電性ペースト２０で電極片３を接着する場合には、導電性ペースト２０で形成された部分（導電固定部２１、導電接着部２２）の距離も離れる。そのため、容易に絶縁性を高めることができる。
【０２２０】
電極片３は、発光領域の中心に対して点対称に配置されていることが好ましい。その場合、面内の電流密度分布がより均一化されるため、面内においてより均一に発光することができ、輝度ムラを低減することができる。図２９（ａ）では、電極片３は点対称に配置されており、１８０°回転させた場合に、電極片３の位置は同じ位置になっている。
【０２２１】
ところで、照明装置において隣り合う電極片３の絶縁距離を大きくする方法として、水平方向の位置が異なる電極片３を有する複数種類の有機ＥＬ素子を形成し、それらの有機ＥＬ素子を突き合せて配置する方法も可能ではある。例えば、図２９（ａ）の右側の端部に示される位置で電極片３が左右の両側に配置された有機ＥＬ素子と、図２９（ａ）の左側の端部に示される位置で電極片３が左右の両側に配置された有機ＥＬ素子とを用い、これらを隣り合わせて配設する。このとき、２つの有機ＥＬ素子は、電極片３の位置以外は、図２９（ａ）の形態と同じ構成のものであってよい。２つの有機ＥＬ素子は、横方向に交互に配置される。すると、有機ＥＬ素子の端部を突き合わせたときには、図２９（ｂ）で示されるように、隣り合う電極片３が水平方向で異なる位置に配置することになるため、図２９（ａ）の有機ＥＬ素子を用いる場合と同様に、絶縁距離を大きくすることができる。ただし、電極片３の位置が異なる複数の有機ＥＬ素子を作製し、それを面状に配置する製法は煩雑になるおそれがある。そのため、図２９（ａ）で示すように、１つの素子で電極片３の位置をずらした有機ＥＬ素子の方が有利である。
【０２２２】
図３０は、有機ＥＬ素子の実施形態の一例を示している。この形態では、絶縁距離を大きくするための好ましい他の態様が示されている。上記の実施形態と同じ構成については同じ符号を付して説明を省略する。
【０２２３】
本形態では、基板１の側部に、絶縁バリア体１６が設けられている。絶縁バリア体１６は、基板１の表面に垂直な方向において、電極引き出し部５よりも突出している。絶縁バリア体１６を有することにより、絶縁性をより確保しやすることができる。そのため、絶縁性を高めることができる。
【０２２４】
絶縁距離の確保の手法として、図１２では絶縁壁部２５を用いる方法を説明したが、絶縁壁部２５が良好に形成されない場合や、絶縁壁部２５が薄く形成された場合、絶縁性が十分に確保されない場合がある。特に絶縁壁部２５を樹脂などで構成した場合、樹脂の形成のされ方などにより絶縁性にばらつきが生じるおそれがあり、求められる耐電圧を確保できなくなるおそれがある。樹脂の場合、塗布条件や硬化条件によって性能が左右され得るからである。しかしながら、絶縁バリア体１６を用いることにより、絶縁バリア体１６のバリア性によって絶縁性を容易に確保することができるため、絶縁性を高く得ることができる。絶縁バリア体１６を用いる場合、絶縁バリア体１６を基板１に接合する前の状態で、絶縁性の確認を行うことが可能であり、良好に絶縁性が付与された絶縁バリア体１６を素子の作製に用いることが可能であるからである。
【０２２５】
絶縁バリア体１６は、基板１の側面に設けられている。それにより、基板１の側面での絶縁性を確保することができる。絶縁バリア体１６は、接着層１７により基板１に接着されている。
【０２２６】
絶縁バリア体１６としては、絶縁シート、絶縁フィルム、絶縁板などを用いることができる。例えば、接着層１７付きの絶縁シートを基板１の側面に貼り付けることにより、絶縁バリア体１６を容易に基板１に接着することができる。また、絶縁バリア体１６を有すると、有機ＥＬ素子を塵埃の多い箇所へ設置したり、有機ＥＬ素子を複数個配列させる高耐電圧が必要な配列とすることも可能となる。
【０２２７】
絶縁バリア体１６の厚みは例えば０．１ｍｍ以上にすることができる。それにより、絶縁性をより高めることができる。この場合の厚みは、基板１の表面と平行な方向（横方向）の長さであり、有機発光体１０の積層方向と垂直な方向での長さである。ただし、非発光部を小さくするためには、絶縁バリア体１６の厚みは小さい方がよい。例えば、絶縁バリア体１６の厚みは例えば５ｍｍ以下にすることができ、好ましくは３ｍｍ以下にすることができ、さらに好ましくは１ｍｍ以下にすることができる。
【０２２８】
絶縁バリア体１６は、基板１の側部全体に設けられることが好ましい。それにより、絶縁性を高めることができるとともに、容易に絶縁バリア体１６を設けることができる。絶縁バリア体１６は、電極片３の側方に配置されることがより好ましい。
【０２２９】
図３０では、基板１の表面に垂直な方向の位置として、電極引き出し部５の表面の位置Ｂ１と、基板１の光取り出し側の表面の位置Ｂ２と、電極片３の基板１とは反対側の端部の位置Ｂ３とを、破線で示している。絶縁バリア体１６は、光取り出し側とは反対側（この図では上方）に、電極引き出し部５の表面の位置Ｂ１よりも飛び出して突出している。それにより、電極引き出し部５の側方に絶縁バリア体１６が配置されるため、絶縁距離をより確保しやすくすることができる。絶縁距離を大きくするためには、導電固定部２１の位置よりも突出することがより好ましい。それにより、導電固定部２１の側方にバリア体１６を配置することができる。
【０２３０】
絶縁バリア体１６は、基板１の表面に垂直な方向において、基板１の封止材２が接着された面とは反対側の面において突出していないことが好ましい。図３０では、絶縁バリア体１６の端部（光取り出し側の端部１６ｂ）は、基板１の外部側の表面の位置である位置Ｂ２と同じ位置に配置されており、基板１の外部側に突出していない。このように、基板１の外部側に絶縁バリア体１６が突出しないことにより、照明装置を形成したときに、絶縁バリア体１６が発光面において飛び出すことを抑制できる。そのため、絶縁バリア体１６によって外観が悪くなるのを抑制することができるとともに、絶縁バリア体１６によって非発光部分が目立つことを抑制することができる。絶縁バリア体１６の端部１６ｂは位置Ｂ２よりも内側であってもよい。ただし、絶縁バリア体１６の端部１６ｂが内側に凹みすぎると外観が低下するおそれがあるので、凹んだとしても絶縁バリア体１６の端部１６ｂは位置Ｂ２の近傍に配置されることが好ましい。
【０２３１】
絶縁バリア体１６は、基板１の表面に垂直な方向において、電極片３よりも突出していることが好ましい。図３０では、絶縁バリア体１６の端部（光取り出し側の反対側の端部１６ａ）は、電極片３の光取り出し側とは反対側の端部の位置である位置Ｂ３よりも光取り出し側とは反対側に配置されており、電極片３よりも突出している。このように、絶縁バリア体１６が電極片３よりも突出することにより、照明装置を形成したときに、隣り合う有機ＥＬ素子の電極片３がより接触しにくくなるため、絶縁性をより高めることができる。また、隣り合う有機ＥＬ素子の導電固定部２１の絶縁距離は、絶縁バリア体１６を乗り越えた距離として算出されるが、絶縁バリア体１６の垂直方向の長さを大きくすることができるため、絶縁距離をより大きくすることができる。
【０２３２】
絶縁バリア体１６の光取り出し側とは反対側の端部１６ａは、例えば、電極片３の固定片３２の長さの２倍以上の位置に配置されていてもよい。絶縁バリア体１６が突出するほど絶縁性が高まる。例えば、絶縁バリア体１６の端部１６ａは、電極片３に沿って絶縁バリア体１６を折り曲げたと仮定したときに、支持片３１の端部よりも素子内部側に位置するようにしてもよい。さらには、例えば、絶縁バリア体１６の端部１６ａは、封止材２の表面の位置で絶縁バリア体１６を内側に折り曲げたと仮定したときに、取出し電極拡張部２３の内側よりも素子内部側に位置するようにしてもよい。絶縁バリア体１６の長さが十分に長いと、導電性ペースト２０や取出し電極１１の構成を変更した場合でも、絶縁バリア体１６で絶縁距離が確保されているため、絶縁設計の変更をすることを要しなくなり得る。そのため絶縁設計を容易化することができる。
【０２３３】
もちろん、絶縁バリア体１６の光取り出し側とは反対側の端部１６ａは、電極片３の光取り出し側とは反対側の端部の位置Ｂ３の位置に配置されていてもよい。その場合も、電極片３の側方に、電極片３の側部を覆うように絶縁バリア体１６が配置されるので、絶縁性を高めることができる。また、絶縁バリア体１６の端部１６ａは、位置Ｂ３よりも基板１側に配置されていてもよい。その場合も、電極片３の側方に絶縁バリア体１６が配置されるので、絶縁性を高めることができる。また、絶縁バリア体１６が電極片３よりも飛び出していないと、絶縁バリア体１６が引っ掛かるなどして剥がれることを抑制することができる。また、薄型化を図ることができる。絶縁バリア体１６の端部１６ａは、絶縁性をより高めるためには、位置Ｂ３を飛び出すことが好ましいと言え、絶縁バリア体１６を剥がれにくくするためには、位置Ｂ３よりも内側であることが好ましいと言える。したがって、絶縁性や安全性等を考慮して、絶縁バリア体１６の端部１６ａの位置を設定することができる。
【０２３４】
例えば、絶縁バリア体１６の基板１の表面に垂直な方向の長さは、固定片３の延伸方向の長さと同じであってもよい。あるいは、例えば、絶縁バリア体１６の基板１の表面に垂直な方向の長さは、固定片３の延伸方向の長さと基板１の厚みとを合計した長さと同じであってもよい。あるいは、例えば、絶縁バリア体１６の基板１の表面に垂直な方向の長さは、固定片３の延伸方向の長さと基板１の厚みとを合計した長さよりも長くてもよい。
【０２３５】
絶縁バリア体１６は、適宜のタイミングで基板１に接着することができる。絶縁バリア体１６は、有機発光体１０の形成前の基板材料のときの基板１に設けることも可能である。しかしながら、絶縁バリア体１６を積層体の積層形成よりも前に設けると、有機発光体１０を良好に積層できなくなるおそれがある。そのため、絶縁バリア体１６は、有機発光体１０を形成し封止を行った後の適宜のタイミングで行うことが好ましい。その際、電極片３を取り付ける前に、絶縁バリア体１６を設けることものできるし、電極片３を取り付けた後に、絶縁バリア体１６を設けることもできる。例えば、電極片３を取り付ける前に絶縁バリア体１６を基板１に接着し、次に、電極引き出し部５の表面に導電性ペースト２０を塗布し、その後、電極片３を取り付けるようにしてもよい。この場合、導電性ペースト２０を絶縁バリア体１６で堰き止めることができるため、絶縁性を高めることができる。あるいは、例えば、電極引き出し部５の表面に導電性ペースト２０を塗布し、次に、電極片３を取り付け、その後、絶縁バリア体１６を基板１に接着してもよい。この場合、導電性ペースト２０が外部側にはみ出したとしても、導電性ペースト２０のはみ出した部分を覆って絶縁バリア体１６を取り付けることができるので、絶縁性を高めることができる。絶縁バリア体１６は、より好ましくは、片面全体に接着層１７が設けられるものを使用することができる。それにより、絶縁バリア体１６の接着の作業性を高めることができる。なお、接着層１７は最終的には硬化されるものであってよく、外表面に露出した場合にも接着性は最終的には消失するものであってよい。
【０２３６】
図３１は、有機ＥＬ素子及び照明装置の実施形態の一例を示している。図３１（ａ）及び図３１（ｂ）は、有機ＥＬ素子が示されおり、図３１（ｃ）はこの有機ＥＬ素子を複数用いた照明装置における有機ＥＬ素子の境界部分が示されている。上記の実施形態と同じ構成については同じ符号を付して説明を省略する。なお、図３１（ａ）では、接着層１７を省略している。接着層１７は実際には厚みが薄いからである。
【０２３７】
絶縁バリア体１６は、複数の有機ＥＬ素子を並べて配置した場合に、隣り合う電極片３の間に配置するように設けられていればよい。したがって、電極片３が設けられた基板１の側部の一方に、絶縁バリア体１６が設けられていなくてもよい。図３１（ａ）では、電極片３が設けられた両側の端部のうちの一方の端部に絶縁バリア体１６が設けられ、他方の端部に絶縁バリア体１６が設けられていない。この有機ＥＬ素子では、照明装置を形成したときには、図３１（ｃ）に示すように、絶縁バリア体１６を有さない端部と、絶縁バリア体１６を有する端部とが突き合わせて隣り合う有機ＥＬ素子を配置することができる。そのため、電極端子の間に絶縁バリア体１６を設けることができ、絶縁性を高めることができる。
【０２３８】
絶縁バリア体１６は電極片３が取り付けられた基板１の端部の全長に亘って設けられていることが好ましい。それにより、絶縁バリア体１６によって簡単に絶縁構造を形成することができる。基板１の端縁全体に沿うように、絶縁バリア体１６は長尺に形成されている。もちろん、絶縁バリア体１６は、個々の電極片３の位置に設けられていてもよいが、一体化した絶縁バリア体１６を用いる方が、絶縁構造の形成がより容易になる。
【０２３９】
図３２は、有機ＥＬ素子及び照明装置の実施形態の一例を示している。図３２（ａ）及び図３２（ｂ）は、有機ＥＬ素子が示されおり、図３２（ｃ）はこの有機ＥＬ素子を複数用いた照明装置における有機ＥＬ素子の境界部分が示されている。上記の実施形態と同じ構成については同じ符号を付して説明を省略する。なお、図３２（ａ）では、接着層１７を省略している。接着層１７は実際には厚みが薄いからである。
【０２４０】
本形態では、有機ＥＬ素子の電極片３が設けられた全ての端部に絶縁バリア体１６が設けられている。すなわち、図３２（ａ）で示すように、電極片３が設けられた両側の端部の両方に、絶縁バリア体１６が設けられている。そのため、電極片３が形成された端部の全部の側方に絶縁バリア体１６が配置されるため、有機ＥＬ素子を隣り合わせて配置する場合には、絶縁バリア体１６を確実に隣り合う電極片３の間に配置させることができる。そのため、電極端子の間に絶縁バリア体１６を確実に設けることができ、絶縁性を高めることができる。また、図３２（ｃ）に示すように、隣り合う有機ＥＬ素子の間には、２つの絶縁バリア体１６が配設されることになる。そのため、絶縁性をさらに高めることができる。また、１つの絶縁バリア体１６の厚みを薄くすることも可能になる。
【０２４１】
この形態でも、絶縁バリア体１６は、長尺となり、電極片３が取り付けられた基板１の端部の全長に亘って設けられている。そのため、容易に絶縁性を高めることができる。
【０２４２】
ここで、図３１の形態では、絶縁バリア体１６の量を減らすことができるという利点がある。一方、図３２の形態では、絶縁バリア体１６を隣り合う有機ＥＬ素子の間に容易に配設することができ、有機ＥＬ素子のタイリングが容易になるという利点がある。そのため、どちらの形態を採用するかは、製造性やコスト等を考慮して、適宜、設定することが可能である。
【０２４３】
図３１及び図３２の形態から次のことが理解される。電極片３は、基板１の複数の端部に設けられていることが好ましい。複数の端部に電極片３が設けられることにより、取出し電極１１を含んで構成される電極端子が複数の端部に形成されることになる。したがって、面内においてより均一な発光を得ることができる。そして、基板１の複数の端部のうちの半分以上の端部の位置における基板１の側部に、絶縁バリア体１６が設けられていることが好ましい。これにより、面状に有機ＥＬ素子を配設したときには、隣り合う電極端子の間に絶縁バリア体１６を容易に配置させることができる。例えば、図３１の形態では、基板１の２つの端部に電極片３が形成されているため、このうちの半分以上である１つ又は２つの端部に絶縁バリア体１６が設けられることが好ましい。もし、基板１の１つの端部のみに電極片３が形成されている場合には、この端部に絶縁バリア体１６が設けられることが好ましい。あるいは、もし、基板１の３つ又は４つの端部に電極片３が形成されている場合には、２つ以上の端部に絶縁バリア体１６が設けられることが好ましい。なお、有機ＥＬ素子は四角形に限られるものではなく、例えば、六角形に形成することも可能である。六角形では、ハニカム状に配置させて有機ＥＬ素子を面状に敷き詰めることができる。六角形の有機ＥＬ素子であっても、絶縁バリア体１６の設けられる端部の個数の関係は同様である。
【０２４４】
絶縁バリア体１６は、より好ましくは、図３２の形態で説明したように、基板１の複数の端部のうちの全部の端部の位置における基板１の側部に、絶縁バリア体１６が設けられている。それにより、絶縁バリア体１６がない端部が突き合わされることを抑制することができるため、確実に絶縁性を高めることができる。
【０２４５】
上記の形態では、有機ＥＬ素子は平面視において四角形である。そのため、四角形の１つ以上の辺に絶縁バリア体１６を設けることができる。好ましい形態では、四角形の対向する２辺に絶縁バリア体１６が設けられる。このとき、四角形は、長方形又は正方形であってよい。
【０２４６】
図３３は、有機ＥＬ素子の実施形態の一例を示している。上記の実施形態と同じ構成については同じ符号を付して説明を省略する。
【０２４７】
本形態の有機ＥＬ素子は、絶縁バリア体１６を有する。絶縁バリア体１６の構成は上記と同じであってよい。そして、絶縁バリア体１６と封止材２との間に、樹脂が充填されている。図３３では、樹脂が充填された部分を樹脂部１８として図示している。樹脂部１８は樹脂が硬化して形成されたものであってよい。樹脂の硬化は、熱硬化であってもよく、光硬化であってもよい。
【０２４８】
本形態では、絶縁バリア体１６と封止材２との間に樹脂が充填されていることにより、導電固定部２１を樹脂部１８で被覆し、導電固定部２１を外力や湿気から保護することができるため、電気信頼性を高めることができる。また、絶縁バリア体１６と封止材２との間の隙間が塞がれるため、この隙間に塵埃などの不純物が入ることを抑制することができるため、電気信頼性をさらに高めることができる。また、樹脂によって絶縁バリア体１６を接着することができるため、絶縁バリア体１６をより強固に保持することができる。また、絶縁バリア体１６と封止材２との間の隙間に樹脂を充填することができるため、狭い幅で樹脂を充填することができ、非発光部分をできるだけ小さくすることができる。
【０２４９】
樹脂は、導電固定部２１を覆うように充填されることが好ましい。それにより、導電固定部２１を被覆して、信頼性を高めることができる。樹脂は、電極片３の固定片３２の半分以上を覆うように充填されることがより好ましい。それにより、信頼性をさらに高めることができる。樹脂は、封止材２の表面近傍の位置まで充填されることがさらに好ましい。それにより、信頼性を高めることができるとともに、絶縁バリア体１６をより強固に保持することができる。
【０２５０】
樹脂は、絶縁バリア体１６と封止材２との間の隙間の水平方向の全長に亘って充填されていてよい。それにより、有機ＥＬ素子の電気信頼性と絶縁バリア体１６の接合性とを高めることができる。
【０２５１】
図３４は、有機ＥＬ素子及び照明装置の実施形態の一例を示している。上記の実施形態と同じ構成については同じ符号を付して説明を省略する。図３４（ａ）及び（ｂ）では、照明装置における有機ＥＬ素子の境界部分が示されており、図３４（ａ）は電極片３近傍の断面図、図３４（ｂ）は電極片３近傍の平面図を示している。
【０２５２】
本形態の有機ＥＬ素子は、図３３の形態と同様に、絶縁バリア体１６を有し、絶縁バリア体１６と封止材２との間には樹脂が充填されている。本形態では、絶縁バリア体１６は、基板１の両方の側部に設けられている。さらに、本形態の有機ＥＬ素子は、図２９の形態で説明したのと同様に、電極片３の位置が水平方向において異なっている。そのため、絶縁距離を高く確保することができ、絶縁性を高めて信頼性が高く安全な素子を構成することができる。
【０２５３】
図３４の形態では、絶縁バリア体１６は、端部１６ａが電極片３よりも突出せずに設けられている。この絶縁バリア体１６の端部１６ａは、封止材２の外部側の表面近傍の位置に配置されている。絶縁バリア体１６が突出していないため、絶縁バリア体１６に外力がかかるなどして絶縁バリア体１６が剥離することを抑制することができる。また、絶縁バリア体１６が突出していないと、素子全体としての厚みをより小さくすることができるため、薄型化を図ることができる。
【０２５４】
図３５は、有機ＥＬ素子の実施形態の一例を示している。上記の実施形態と同じ構成については同じ符号を付して説明を省略する。図３５の形態は、絶縁被覆体２６を有する。絶縁被覆体２６を有する構成は、絶縁バリア体１６を有する構成とは別の構成、あるいは、絶縁バリア体１６を有する構成と併用され得る構成である。また、電極片３の配置をずらす構成とも併用され得る構成である。
【０２５５】
本形態では、電極片３は、少なくとも基板１に向かって延伸する延伸部の外部側表面が絶縁被覆体２６で被覆されている。電極片３の延伸部が絶縁性を有する絶縁被覆体２６で被覆されることにより、照明装置を形成したときに、隣り合う電極片３が接触することを抑制することができる。また、電極片３が被覆されるので絶縁距離をより高く確保することができる。そのため、絶縁性をより高めることが可能になる。
【０２５６】
本形態では、電極片３の延伸部は、固定片３２によって構成されており、固定片３２の外部側の表面が絶縁被覆体２６で被覆されている。電極片３の側方の表面が被覆されているといってもよい。
【０２５７】
絶縁被覆体２６は、樹脂、絶縁シート、絶縁フィルム、ゴムなど適宜の絶縁材料で形成することができる。絶縁被覆体２６は、基板１に固定する前の電極片３に設けられていることが好ましい。この場合、絶縁被覆体２６付きの電極片３を用いて有機ＥＬ素子を形成することができる。それにより、容易に絶縁性を高めることができる。また、導電性ペースト２０を用いた場合には、導電性ペースト２０の流出を容易に抑制することができる。もちろん、電極片３を基板１に固定した後に、絶縁被覆体２６を設けるようにしてもよい。
【０２５８】
絶縁被覆体２６は、例えば、流動性のある絶縁材料を電極片３の表面に塗布することにより形成することができる。あるいは、絶縁被覆体２６は、固体状の絶縁材料（絶縁シートなど）を電極片３の表面に接着することにより形成することができる。
【０２５９】
絶縁被覆体２６の厚みは例えば０．１ｍｍ以上にすることができる。それにより、絶縁性をより高めることができる。この場合の厚みは、基板１の表面と平行な方向（横方向）の長さであり、有機発光体１０の積層方向と垂直な方向での長さである。絶縁被覆体２６の厚みの上限は特に限定されるものではないが、有機ＥＬ素子を構成したときに、基板１の端部の位置から水平方向にはみ出さないように、絶縁被覆体２６の厚みが設定されることが好ましい。絶縁被覆体２６の厚みは、例えば３ｍｍ以下にすることができ、好ましくは１ｍｍ以下にすることができる。
【０２６０】
なお、本形態の有機ＥＬ素子は、図１３で説明した充填封止構造で形成されている。もちろん、有機ＥＬ素子は、中空構造で形成されていてもよい。
【０２６１】
図３６は、有機ＥＬ素子の実施形態の一例を示している。上記の実施形態と同じ構成については同じ符号を付して説明を省略する。図３６の形態は、絶縁被覆体２６を有している。絶縁被覆体２６の材料及び形成方法等は、図３５の形態と同様であってよい。
【０２６２】
本形態では、電極片３は、外部側の表面全体が絶縁被覆体２６で被覆されている。電極片３の全体が絶縁性を有する絶縁被覆体２６で被覆されることにより、照明装置を形成したときに、隣り合う電極片３が接触することを抑制することができる。また、電極片３の外部表面全体が被覆されるので絶縁距離をより高く確保することができる。そのため、絶縁性をより高めることが可能になる。また、絶縁被覆体２６が電極片３の全体を覆うので、絶縁被覆体２６と電極片３との接合性を高めることができるとともに、絶縁被覆体２６を容易に形成することができる。
【０２６３】
なお、本形態の有機ＥＬ素子は、図９に示す形態に絶縁被覆体２６を設けたものを示しているが、絶縁被覆体２６は他の形態にも適用可能である。
【０２６４】
図３７は、絶縁被覆体２６を、図１０の形態に適用した例である。本形態では、有機ＥＬ素子は配線板２４を有する。この場合も絶縁距離を容易に確保することができる。
【０２６５】
図３８は、有機ＥＬ素子の実施形態の一例を示している。上記の実施形態と同じ構成については同じ符号を付して説明を省略する。
【０２６６】
本形態では、絶縁被覆体２６は、電極片３の延伸部の先端よりも基板１側にはみ出している。すなわち、絶縁被覆体２６の基板１側の先端は、電極片３の固定片３２の基板１側の先端からはみ出して飛び出している。絶縁被覆体２６が電極片３の延伸部の先端よりも基板１側にはみ出すことにより、導電性ペースト２０によって形成される導電固定部２１の側方を覆うことが可能である。そのため、絶縁距離をさらに容易に確保することができる。また、導電性ペースト２０の流出を抑制することができるため、絶縁性をより高めることができる。
【０２６７】
図３８では、絶縁被覆体２６の電極片３よりもはみ出した部分は、絶縁はみ出し部２６ａとして図示されている。
【０２６８】
本形態においては、絶縁被覆体２６は可撓性を有することが好ましい。絶縁被覆体２６が可撓性を有することにより、電極片３を基板１側に近づけたときに、絶縁被覆体２６を変形させることができるため、固定片３２の先端を電極引き出し部５側により近づけることができる。もちろん、絶縁被覆体２６としては、可撓性を有さないものも使用可能である。
【０２６９】
図３９は、有機ＥＬ素子の実施形態の一例を示している。上記の実施形態と同じ構成については同じ符号を付して説明を省略する。
【０２７０】
本形態では、絶縁被覆体２６における電極片３の延伸部の先端よりもはみ出した絶縁はみ出し部２６ａは、外方に膨らんでいる。絶縁はみ出し部２６ａが外側に膨らむことにより、導電性ペースト２０の流出を抑制することができるため、絶縁性をより高めることができる。また、導電固定部２１の大きさをより大きくすることができるため、電気接続性を高めることができる。絶縁被覆体２６の外方の膨らみは、導電性ペースト２０に接触した際に、押圧されて膨らんで形成されるものであってよい。絶縁被覆体２６は、屈曲構造を有するものであってよい。
【０２７１】
図３９の形態では、絶縁被覆体２６の基板１側の端部、すなわち、絶縁はみ出し部２６ａは、基板１に接している。基板１に接することにより、導電性ペースト２０の流出を高く抑制することができる。
【０２７２】
図４０、図４１及び図４２は、絶縁被覆体２６を有する有機ＥＬ素子の他の実施形態を示している。有機ＥＬ素子は、電極片３の延伸部、絶縁被覆体２６、又は、電極片３と絶縁被覆体２６との間に、基板１側に開口する間隙２７を有することが好ましい態様である。それにより、毛細管現象を利用して導電性ペースト２０を外部側に流出することを簡単に抑制することができる。間隙２７は、導電性ペースト２０により形成された導電固定部２１が侵入していてよい。
【０２７３】
図４０の形態では、電極片３の延伸部に、基板１側に開口する間隙２７を有している。すなわち、電極片３は、固定片３２の先端の基板１側の面に開口して隙間が設けられ、間隙２７が形成されている。この間隙２７は、固定片３２の先端が横方向に分岐することにより形成されている。電極片３が間隙２７を有することにより、毛細管現象を利用して、この間隙２７に導電性ペースト２０を侵入させることができる。そのため、導電性ペースト２０の流出を抑制することができる。
【０２７４】
図４１の形態では、絶縁被覆体２６に、基板１側に開口する間隙２７を有している。すなわち、絶縁被覆体２６は、基板１側の先端が開口して隙間が設けられ、間隙２７が形成されている。この間隙２７は、絶縁被覆体２６の先端が横方向に分岐することにより形成されている。絶縁被覆体２６が間隙２７を有することにより、毛細管現象を利用して、この間隙２７に導電性ペースト２０を侵入させることができる。そのため、導電性ペースト２０の流出を抑制することができる。
【０２７５】
図４２の形態では、電極片３と絶縁被覆体２６との間に、基板１側に開口する間隙２７を有している。すなわち、電極片３と絶縁被覆体２６とは、先端部において離間して隙間が形成されており、この隙間によって間隙２７が形成されている。この間隙２７は、電極片３と絶縁被覆体２６の先端部分が接着していないことによって形成されるものであってもよい。電極片３と絶縁被覆体２６との間に間隙２７を有することにより、毛細管現象を利用して、この間隙２７に導電性ペースト２０を侵入させることができる。そのため、導電性ペースト２０の流出を抑制することができる。
【０２７６】
図４３は、有機ＥＬ素子の実施形態の一例を示している。上記の実施形態と同じ構成については同じ符号を付して説明を省略する。図４３以降では、配線板２４を用いた有機ＥＬ素子の好ましい態様について説明する。
【０２７７】
上記図１０の形態では、配線板２４を用いて電極を引き出す構造を説明した。ここで、配線板２４を用いる場合、配線板２４は熱膨張や熱収縮が起こりやすい。例えば、有機ＥＬ素子の駆動により発熱して温度が高くなると、熱により配線板２４が膨張しやすくなる。熱膨張が発生すると、電極片３に引っ張り力が働くなどして、電極片３の接触不良が発生したり、導電性ペースト２０が硬化して形成された部分（導電固定部２１及び／又は導電接着部２２）が破損したりする場合があるため、電気的接続性を高めることが好ましい。特に上記の実施形態においては、配線板２４の材料に、樹脂材料、シリコン材料、セラミック基板などを用い、封止材２にガラスを用いた場合、配線板２４と封止材２とで材料が異なるため、熱による膨張又は収縮の問題が生じやすくなる。熱膨張係数が異なるからである。そこで、配線板２４を用いた形態における、好ましい形態について説明する。
【０２７８】
図４３の形態では、図１０の形態と同様に、配線板２４を用いて電極の引き出し構造を形成している。図４３の形態は、支持片３１を内部側に延長し、この支持片３１が、配線板２４の内側に形成された取出し電極拡張部２３と電気的に接続されている点で、図１０の形態とは異なっている。取出し電極拡張部２３は、配線板２４の配線の引き回しにより、他の箇所で外部電源と導通する電極が配線板２４で露出していてよい。支持片３１を長くすることにより、電極片３の固定強度を高めることができるとともに、配線の引き回しの設計の自由化を高めることができる。なお、図４３では、配線板２４を接着剤により封止材２に接着しており、この接着剤により配線板接着層２８が構成されている。
【０２７９】
図４４（ａ）は、図４３の形態の有機ＥＬ素子に用いる電極片３の一例を示している。この電極片３は、支持片３１及び固定片３２が平坦な片として形成されている。図４４（ｂ）及び（ｃ）は、図４４（ａ）の電極片３を用いて形成した有機ＥＬ素子を示している。図４４（ｂ）は、基板１の表面に垂直な方向において、配線板２４側から見た電極片３近傍の様子を示している。図４４（ｃ）は、基板１の表面に平行な方向から有機ＥＬ素子の側部を見た電極片３近傍の様子を示している。図４４（ａ）の電極片３では、温度が高くなって配線板２４に熱膨張が生じた時に、電極片３に負荷がかかり、その負荷によって電気接続性が損なわれるおそれがある。熱膨張は基板１の表面と平行な方向に生じ得る。そのため、配線板２４の熱膨張は面が広がる方向に生じ得る。図４３では、配線板２４の熱膨張を黒矢印で示している。
【０２８０】
そこで、電極片３は、基板１の表面に平行な方向に対しての応力を緩和する応力緩和構造３５を有することが好ましい。応力緩和構造３５とは、電極片３が延伸収縮変形可能な構造であってよい。より詳細には、電極片３が延伸する方向に、電気的接続性を担保しながら変形可能な構造であるといってよい。電極片３が応力緩和構造３５を有することにより、配線板２４の熱膨張又は熱収縮による熱変形を吸収することができるため、電極片３が接続不良になることを低減することができ、有機ＥＬ素子の電気的信頼性を高めることができる。電極片３の変形は、応力を吸収する微変形であってよい。
【０２８１】
図４５（ａ）、図４５（ｂ）及び図４５（ｃ）は、応力緩和構造３５を有する電極片３の各一例を示している。これらの形態では、応力緩和構造３５は、電極片３に設けられた開口部３６により構成されている。開口部３６を有することにより、電極片３が変形しやすくなり、効率よく応力を緩和することができる。開口部３６は１つでもよいが、複数設けられることがより好ましい。それにより、応力をより緩和することができる。開口部３６は、電極片３の厚み方向を貫通する穴として設けられている。開口部３６は、電極片３の延伸方向に沿った長穴であることが好ましい。それにより、応力を緩和しやすくすることができる。図４５の各形態では、長穴の開口部３６が、等間隔で電極片３の幅方向に沿って並んで配置されている。開口部３６は、スリット状の穴であってよい。
【０２８２】
図４５（ａ）の電極片３では、開口部３６は、支持片３１と固定片３２との両方に設けられている。それにより、応力を高く緩和することができる。図４５（ａ）の電極片３を用いた場合、電極片３近傍の部分が、図４３で示される断面構造を有し、図４６（ａ）で示される平面図となり、図４６（ｂ）で示される側面図となる有機ＥＬ素子を得ることができる。
【０２８３】
図４５（ｂ）の電極片３では、開口部３６は、支持片３１に設けられており、固定片３２には設けられていない。この場合も、電極片３の微変形が可能になるため、応力を緩和することができる。図４５（ｂ）の電極片３を用いた場合、電極片３近傍の部分が、図４３で示される断面構造を有し、図４６（ａ）で示される平面図となり、図４４（ｃ）で示される側面図となる有機ＥＬ素子を得ることができる。
【０２８４】
図４５（ｃ）の電極片３では、開口部３６は、固定片３２に設けられており、支持片３１には設けられていない。この場合も、電極片３の微変形が可能になるため、応力を緩和することができる。図４５（ｃ）の電極片３を用いた場合、電極片３近傍の部分が、図４３で示される断面構造を有し、図４４（ｂ）で示される平面図となり、図４６（ｂ）で示される側面図となる有機ＥＬ素子を得ることができる。
【０２８５】
図４５（ａ）の形態では、図４５（ｂ）及び（ｃ）に比べて電極片３の変形領域が多いため変形収縮性能が向上するという利点を有する。一方、図４５（ｂ）及び図４５（ｃ）では、開口部３６が一つの片のみに設けられるため、製造が容易になるとともに、電極片３の強度を高めることができるという利点を有する。また、図４５（ｃ）では、支持片３１に開口がないため、電極片３を取り付ける際に支持片３１を容易に配線板２４に接合することができ、製造を容易化することができる。
【０２８６】
図４５の各電極片３では、開口部３６は、支持片３１又は固定片３２で構成される１つの片に４つ設けられているが、開口部３６の数はこれに限定されるものではなく、１つであってもよいし、２つ又は３つであってもよいし、５つ以上であってもよい。なお、開口部３６は、支持片３１と固定片３２の境界部分には形成されていないことが好ましい。それにより、電極片３の強度が低下することを抑制することができる。
【０２８７】
開口部３６は、例えば、電極片３を構成する金属片をパンチングにより切り抜くことにより形成することができる。あるいは、電極片３の折り曲げ加工の際に成形型によって打ち抜いてもよい。
【０２８８】
図４７（ａ）は、応力緩和構造３５を有する電極片３の他の一例を示している。図４７（ｂ）及び図４７（ｃ）は、図４７（ａ）の電極片３を用いて形成した有機ＥＬ素子の電極片３近傍の様子を示しており、図４７（ｂ）は平面図、図４７（ｃ）は側面図である。
【０２８９】
本形態では、応力緩和構造３５は、電極片３に設けられた切欠部３７により構成されている。切欠部３７は、電極片３の幅方向（延伸方向に垂直な方向）に切り欠いたスリットとして形成されている。切欠部３７を有することにより、電極片３が変形しやすくなり、効率よく応力を緩和することができる。なお、断面構造は、図４３と同様になる。
【０２９０】
図４７（ａ）の電極片３では、支持片３１と固定片３２との両方に各１つの切欠部３７が設けられている。切欠部３７は、支持片３１及び固定片３２のいずれか一方に設けられていてもよい。その場合も、電極片３の微変形が可能になるので、応力を緩和することができる。切欠部３７は、電極片３の側部（延伸方向と垂直な方向の端部）が分断されて設けられるため、電極片３はより延伸方向に変形しやすくなる。そのため、変形吸収性を向上することができ、有機ＥＬ素子の電気的信頼性を高めることができる。
【０２９１】
図４８（ａ）は、応力緩和構造３５を有する電極片３の他の一例を示している。図４８（ｂ）及び図４８（ｃ）は、図４８（ａ）の電極片３を用いて形成した有機ＥＬ素子の電極片３近傍の様子を示しており、図４８（ｂ）は平面図、図４８（ｃ）は側面図である。
【０２９２】
本形態では、応力緩和構造３５は、電極片３に設けられた複数の切欠部３７により構成されている。そして、複数の切欠部３７は、電極片３がＳ字状の部分を有するように設けられている。本形態でも、切欠部３７は、電極片３の幅方向（延伸方向に垂直な方向）に切り欠いたスリットとして形成されている。切欠部３７を有することにより、電極片３が変形しやすくなり、効率よく応力を緩和することができる。そして、電極片３がＳ字状の部分を有することで、延伸方向の変形をよりしやすくすることができ、応力の緩和作用をさらに高めることができる。幅方向において、一方向からの切り欠きだけではなく、両方向から切り欠かれることによって、バネ状の弾性がより付与され変形性が高まるからである。
【０２９３】
電極片３に設けられる切欠部３７の数は、１つでもよいし、複数でもよいが、複数の切欠部３７が設けられると、応力をより緩和することができる。そして、さらに複数の切欠部３７を設ける場合には、図４８（ａ）のようにＳ字状の部分を有するように、切欠部３７を設けると、変形吸収性能が効率よく高まる。もちろん、一方向からの切り欠きが複数設けられていてもよい。なお、１つの片（支持片３１及び／又は固定片３２）に３つ以上の切欠部３７が設けられる場合には、電極片３の幅方向の端部が交互に切り欠かれることが好ましい。その場合、電極片３はジグザグ状になる。電極片３は、複数のＳ字状の部分が連結した形状となってもよい。
【０２９４】
図４８（ａ）の電極片３では、支持片３１と固定片３２との両方に各２つの切欠部３７が設けられている。切欠部３７は、支持片３１及び固定片３２のいずれか一方に設けられていてもよい。その場合も、電極片３の微変形が可能になるので、応力を緩和することができる。
【０２９５】
切欠部３７は、例えば、電極片３を構成する金属片をパンチングにより切り抜くことにより形成することができる。あるいは、電極片３の折り曲げ加工の際に成形型によって打ち抜いてもよい。
【０２９６】
図４９は、応力緩和構造３５を有する電極片３の他の一例を用いて形成した有機ＥＬ素子を示しており、図４９（ａ）は断面図、図４９（ｂ）は平面図、図４９（ｃ）は側面図である。本形態では、応力緩和構造３５は、電極片３に設けられた波形構造３８により構成されている。波形構造３８を有することにより、電極片３が変形しやすくなり、効率よく応力を緩和することができる。そして、電極片３が波形になることで、断面Ｓ字状の部分が１つ又は複数形成されるため、延伸方向の変形をよりしやすくすることができ、応力の緩和作用をさらに高めることができる。電極片３は、蛇腹状になり延伸方向に変形可能になるのである。
【０２９７】
本形態では、波形構造３８は、幅方向に亘って厚み方向に切り欠かれたスリット状の複数の凹部３９によって波形構造３８が形成されている。複数の凹部３９は、電極片３の外部側の表面が凹んだ外部側凹部３９ａと、内部側の表面が凹んだ内部側凹部３９ｂとにより構成されている。外部側凹部３９ａと内部側凹部３９ｂとは延伸方向に沿って交互に配置されている。これにより、電極片３は凹凸が形成されている。図４９（ｂ）及び図４９（ｃ）では、隠れた凹部３９を破線で示している。
【０２９８】
波形構造３８は、支持片３１と固定片３２との一方にのみ設けられていてもよい。その場合も、電極片３は微変形が可能になるので、応力を緩和することができる。ただし、支持片３１と固定片３２の両方に設けられていることがより好ましい。それにより、変形性をより高めることができる。
【０２９９】
図５０は、波形構造３８により構成された応力緩和構造３５を有する電極片３によって形成された有機ＥＬ素子の他の一例を示している。本形態では、電極片３を構成する金属片が延伸方向に曲線状に波形状になることにより、波形構造３８が形成されている。本形態では例えばプレス加工により電極片３に容易に波形構造３８を設けることができる。波形構造３８を有することにより、電極片３の変形性が向上し、応力を緩和することができる。波形構造３８は、支持片３１及び固定片３２のうちの一方に設けられるものであってもよい。波形構造３８を構成する１つの波は断面半円状になるものであってもよい。
【０３００】
図５１は、波形構造３８により構成された応力緩和構造３５を有する電極片３によって形成された有機ＥＬ素子の他の一例を示している。本形態では、電極片３を構成する金属片が延伸方向にギザギザの波形状になることにより、波形構造３８が形成されている。本形態では例えばプレス加工により電極片３に容易に波形構造３８を設けることができる。波形構造３８を有することにより、電極片３の変形性が向上し、応力を緩和することができる。波形構造３８は、支持片３１及び固定片３２のうちの一方に設けられるものであってもよい。波形構造３８を構成する１つの波は断面三角状になるものであってもよい。
【０３０１】
図５２及び図５３は、応力緩和構造３５を有する電極片３によって形成された有機ＥＬ素子の他の一例を示している。これらの形態では、応力緩和構造３５は、電極片３における基板１の表面に垂直な方向に沿った部分と基板１の表面に平行な方向に沿った部分との境界である屈曲部４０が、電極片３の表面から外方に突出して構成されている。すなわち、固定片３２と支持片３１との境界部分である屈曲部４０が外方に突出している。屈曲部４０が外方に突出することにより、この屈曲部４０が変形を吸収して電極片３が全体として微変形することが可能になり、応力を緩和することができる。なお、屈曲部４０の突出により、電極片３には、突起が形成されている。
【０３０２】
図５２の形態では、屈曲部４０は、基板１とは反対側の方向に突出している。図５３の形態では、屈曲部４０は、側方に向かって突出している。これらの形態では、電極片３の折り曲げ加工によって容易に応力緩和構造３５を形成することができる。図５２の形態は、屈曲部４０が側方に飛び出さないため、非発光領域を小さくするためには有利である。また、図５２の形態は、隣り合う有機ＥＬ素子の絶縁距離を高めるためには有利である。一方、図５３の形態は、電極片３が発光面とは反対側の面（背面）に飛び出さないため、薄型化を図るためには有利である。
【０３０３】
ところで、電極片３に応力緩和構造３５が設けられる態様は、配線板２４を有さない有機ＥＬ素子の場合においても有効である。そして、配線板２４のない上記の各形態に、応力緩和構造３５を有する電極片３を用いることができる。この場合、封止材２に電極片３を接着する場合においてより有効である。また、導電性ペースト２０を用いて電極片３を接着する場合（導電固定部２１及び導電接着部２２の一方又は両方が形成される場合）において、より有効である。応力緩和構造３５を設けると、ガラスなどで構成される封止材２と、金属片で構成される電極片３との間の熱収縮差を吸収することができる。ガラス板と金属片との間にも熱収縮差があるからである。そのため、電気接続性を高めることができる。ただし、発生する応力は、配線板２４を設けた方が大きいので、応力緩和構造３５は、配線板２４を設けた場合により有利であると言える。
【０３０４】
図５４は、有機ＥＬ素子の実施形態の一例を示している。上記の実施形態と同じ構成については同じ符号を付して説明を省略する。図５４では、配線板２４の熱膨張によって発生し得る電極片３の接続不良を抑制することができる他の態様が説明される。本形態では、図１０の形態と同様に、配線板２４を用いて電極の引き出し構造を形成している。
【０３０５】
そして、本形態では、取出し電極拡張部２３は、配線板２４の封止材２側の表面に設けられている。取出し電極拡張部２３は、平面視において、封止材２と重複する位置に配置されている。本形態では、熱膨張による反りが発生しにくい封止材２側の表面で電極片３と取出し電極拡張部２３とを接続するため、熱膨張の際の変形量を抑制することができるので、接続信頼性を高めることができる。すなわち、配線板２４は、配線板接着層２８により封止材２に接着されており、配線板２４の外部側の表面と内部側の表面とでは、封止材２に接着する側の面である内部側の面の方が熱膨張量が少ない。したがって、配線板２４のより変形性の少ない面で電極片３との電気接続を行うことにより、熱膨張の際に電気接続が分断されにくくなって、接続信頼性を高めることができるのである。
【０３０６】
図５４の形態では、配線板接着層２８は、電極片３を収めるスペーサとなる。配線板接着層２８よりも側方に配線板２４の封止材２側の表面が露出した領域が形成され、その領域に取出し電極拡張部２３が設けられる。取出し電極拡張部２３は配線板２４の本体表面と面一であってもよい。
【０３０７】
取出し電極拡張部２３は、導電材料により形成された導電接続部２９によって、電極片３と電気的に接続されていることが好ましい。それにより、接続信頼性を高めることができる。本形態では、取出し電極拡張部２３と電極片３の支持片３１とは、導電性ペースト２０によって形成された導電接続部２９によって接続されている。導電接続部２９は、封止材２と電極片３との間にも設けて、電極片３を封止材２に接着させる機能を有する導電接着部２２を兼ねてもよい。
【０３０８】
本形態では、取出し電極１１と取出し電極拡張部２３とが平面視において重複している。そのため、電気接続性を高めることができる。
【０３０９】
図５５は、有機ＥＬ素子の実施形態の一例を示している。上記の実施形態と同じ構成については同じ符号を付して説明を省略する。
【０３１０】
本形態では、配線板２４は、平面視において、電極片３よりも内部側に配置されている。取出し電極拡張部２３は、配線板２４の封止材２側の表面に設けられている。そして、取出し電極拡張部２３と電極片３とは、導電性ペースト２０によって形成された導電接続部２９によって電気的に接続されている。導電接続部２９は、封止材２の表面に沿って延伸して形成されており、配線板２４と封止材２との間、及び、支持片３１と封止材２との間に侵入している。導電接続部２９は、電極片３を封止材２に接着する導電接着部２２を兼ねている。
【０３１１】
本形態では、熱膨張による反りが発生しにくい封止材２側の表面で電極片３と取出し電極拡張部２３とを接続するため、熱膨張の際の変形を吸収することができるため、接続信頼性を高めることができる。
【０３１２】
本形態では、図５５で示すように、取出し電極拡張部２３と電極片３とは平面視において重複していない。取出し電極拡張部２３は、平面視において、電極片３よりも内側に配置されている。また、配線板２４は、電極片３とは、平面視において重複していない。電極片３と配線板２４とが厚み方向に重ならないことによって、薄型化を図ることが可能である。
【０３１３】
図５６は、有機ＥＬ素子の実施形態の一例を示している。上記の実施形態と同じ構成については同じ符号を付して説明を省略する。
【０３１４】
本形態では、配線板２４は、平面視において、電極片３よりも内部側に配置されている。そして、取出し電極拡張部２３は、封止材２の表面に設けられる第１の取出し電極拡張部２３ａと、配線板２４の封止材２側の表面に設けられている第２の取出し電極拡張部２３ｂとによって構成されている。第１の取出し電極拡張部２３ａと第２の取出し電極拡張部２３ｂとは、導電性ペースト２０によって形成された導電接続部２９によって電気的に接続されている。電極片３は、導電接着部２２によって封止材２の表面に形成された第１の取出し電極拡張部２３ａに接着されている。
【０３１５】
本形態では、熱膨張による反りが発生しにくい封止材２側の表面で電極片３と取出し電極拡張部２３とを接続するため、熱膨張の際の変形を吸収することができるため、接続信頼性を高めることができる。
【０３１６】
本形態では、図５６で示すように、取出し電極拡張部２３と電極片３とは平面視において重複していない。取出し電極拡張部２３は、平面視において、電極片３よりも内側に配置されている。また、配線板２４は、電極片３とは、平面視において重複していない。電極片３と配線板２４とが厚み方向に重ならないことによって、薄型化を図ることが可能である。また、封止材２の表面に設けられた第１の取出し電極拡張部２３ａによって電気接続を行うため、電極の引き出し構造を容易に形成することができるとともに、接続信頼性を高めることができる。なお、第１の取出し電極拡張部２３ａは、めっきなどで形成することができる。
【０３１７】
なお、配線板２４の封止材２とは反対側の表面には、電極層４２が形成されている。電極層４２は、配線板２４の内部配線構造によって取出し電極拡張部２３と電気的に接続されている。したがって、電極層４２で外部電源との接続を行うことができる。
【０３１８】
図５７は、有機ＥＬ素子の実施形態の一例を示している。上記の実施形態と同じ構成については同じ符号を付して説明を省略する。
【０３１９】
図５７の形態は、封止材２の表面に配線板２４を備えており、配線板２４の表面に取出し電極拡張部２３が設けられている。本形態では、配線板２４の基板１とは反対側の表面に取出し電極拡張部２３が設けられている。取出し電極拡張部２３は配線板２４における封止材２側の表面に設けられていてもよい。ただし、本形態では、基板１とは反対側の表面に取出し電極拡張部２３を設けた方が配線接続が容易になる。配線板２４は、平面視において、封止材２よりも内側に配置されている。電極片３は、封止材２に接着されている。そして、電極片３と取出し電極拡張部２３とが、導電接続部２９を構成する可撓性導電体４１によって電気的に接続されている。可撓性導電体４１は、可撓性を有する導電材により形成されるものである。可撓性導電体４１によって接続されることにより、熱膨張が起こったときには、可撓性導電体４１が変形して応力を吸収して緩和することができる。そのため、電気的信頼性を高めることができる。なお、電極片３は、接着剤が硬化して形成された電極片支持体４によって接着されているが、導電性ペースト２０によって接着されていてもよい。
【０３２０】
可撓性導電体４１は、導電性の線材であることが好ましい。具体的には、可撓性導電体４１は、ワイヤなどで構成されるものであってよい。ワイヤを用いる場合、容易に接続性高く電気接続を行うことができる。電極片３とワイヤとの間、及び、取出し電極拡張部２３とワイヤとの間の接続は、ワイヤボンディングやリボンボンディングで行うことができる。
【符号の説明】
【０３２１】
１      基板
１ａ    段部
２      封止材
３      電極片
４      電極片支持体
５      電極引き出し部
６      封止間隙
７      第１電極
８      有機発光層
９      第２電極
１０    有機発光体
１１    取出し電極
１２    端子部
１３    突起
１４    弾性部
１５    筐体
１６    絶縁バリア体
１７    接着層
１８    樹脂部
２０    導電性ペースト
２１    導電固定部
２２    導電接着部
２３    取出し電極拡張部
２４    配線板
２５    絶縁壁部
２６    絶縁被覆体
２６ａ  絶縁はみ出し部
２７    間隙
２８    配線板接着層
２９    導電接続部
３１    支持片
３２    固定片
３３    面当て片
３４    端子片
３５    応力緩和構造
３６    開口部
３７    切欠部
３８    波形構造
３９    凹部
４０    屈曲部
４１    可撓性導電体
１００  照明パネル
【図１】
2013187065.tif 000003
【図２】
2013187065.tif 000004
【図３】
2013187065.tif 000005
【図４】
2013187065.tif 000006
【図５】
2013187065.tif 000007
【図６】
2013187065.tif 000008
【図７】
2013187065.tif 000009
【図８】
2013187065.tif 000010
【図９】
2013187065.tif 000011
【図１０】
2013187065.tif 000012
【図１１】
2013187065.tif 000013
【図１２】
2013187065.tif 000014
【図１３】
2013187065.tif 000015
【図１４】
2013187065.tif 000016
【図１５】
2013187065.tif 000017
【図１６】
2013187065.tif 000018
【図１７】
2013187065.tif 000019
【図１８】
2013187065.tif 000020
【図１９】
2013187065.tif 000021
【図２０】
2013187065.tif 000022
【図２１】
2013187065.tif 000023
【図２２】
2013187065.tif 000024
【図２３】
2013187065.tif 000025
【図２４】
2013187065.tif 000026
【図２５】
2013187065.tif 000027
【図２６】
2013187065.tif 000028
【図２７】
2013187065.tif 000029
【図２８】
2013187065.tif 000030
【図２９】
2013187065.tif 000031
【図３０】
2013187065.tif 000032
【図３１】
2013187065.tif 000033
【図３２】
2013187065.tif 000034
【図３３】
2013187065.tif 000035
【図３４】
2013187065.tif 000036
【図３５】
2013187065.tif 000037
【図３６】
2013187065.tif 000038
【図３７】
2013187065.tif 000039
【図３８】
2013187065.tif 000040
【図３９】
2013187065.tif 000041
【図４０】
2013187065.tif 000042
【図４１】
2013187065.tif 000043
【図４２】
2013187065.tif 000044
【図４３】
2013187065.tif 000045
【図４４】
2013187065.tif 000046
【図４５】
2013187065.tif 000047
【図４６】
2013187065.tif 000048
【図４７】
2013187065.tif 000049
【図４８】
2013187065.tif 000050
【図４９】
2013187065.tif 000051
【図５０】
2013187065.tif 000052
【図５１】
2013187065.tif 000053
【図５２】
2013187065.tif 000054
【図５３】
2013187065.tif 000055
【図５４】
2013187065.tif 000056
【図５５】
2013187065.tif 000057
【図５６】
2013187065.tif 000058
【図５７】
2013187065.tif 000059
【図５８】
2013187065.tif 000060
【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
基板の表面に、第１電極と有機発光層と第２電極とをこの順で有する有機発光体が形成され、前記有機発光体は、前記基板に接着された封止材によって覆われて封止されている有機エレクトロルミネッセンス素子であって、
前記基板の端部表面に、前記第１電極及び前記第２電極の少なくとも一方と電気的に接続された電極引き出し部が、前記封止材よりも外側に引き出されて設けられ、
前記封止材の前記基板とは反対側に、取出し電極が電極片によって設けられ、
前記電極片の延伸部が前記電極引き出し部に固定されることにより、前記電極片と前記電極引き出し部とが電気的に接続され、
前記電極片の前記延伸部は、前記電極引き出し部に導電性ペーストによって形成された導電固定部によって固定され、
前記封止材の表面に配線板を備え、
前記配線板の表面に取出し電極拡張部が設けられ、前記電極片は、導電接続部によって前記取出し電極拡張部に電気的に接続され、
前記取出し電極拡張部は、平面視において、前記封止材と重複する位置に配置されていることを特徴とする、有機エレクトロルミネッセンス素子。
【請求項２】
前記取出し電極拡張部は、前記配線板の前記封止材側の表面に設けられていることを特徴とする、請求項１に記載の有機エレクトロルミネッセンス素子。
【請求項３】
前記電極片は、導電性ペーストによって形成された導電接着部によって前記封止材に固定されていることを特徴とする、請求項１又は２に記載の有機エレクトロルミネッセンス素子。
【請求項４】
前記導電固定部と前記導電接着部とが連結していることを特徴とする、請求項３に記載の有機エレクトロルミネッセンス素子。
【請求項５】
前記電極片と前記取出し電極拡張部とが、前記導電接続部を構成する可撓性導電体によって電気的に接続されていることを特徴とする、請求項１に記載の有機エレクトロルミネッセンス素子。
【請求項６】
前記基板の側部に、絶縁バリア体が設けられ、
前記絶縁バリア体は、前記基板の表面に垂直な方向において、前記電極引き出し部よりも突出していることを特徴とする、請求項１に記載の有機エレクトロルミネッセンス素子。
【請求項７】
前記絶縁バリア体は、前記基板の表面に垂直な方向において、前記電極片よりも突出していることを特徴とする、請求項６に記載の有機エレクトロルミネッセンス素子。
【請求項８】
前記絶縁バリア体は、前記基板の表面に垂直な方向において、前記基板の前記封止材が接着された面とは反対側の面において突出していないことを特徴とする、請求項６又は７に記載の有機エレクトロルミネッセンス素子。
【請求項９】
前記電極片は、前記基板の複数の端部に設けられ、
前記基板の前記複数の端部のうちの半分以上の端部の位置における前記基板の側部に、前記絶縁バリア体が設けられていることを特徴とする、請求項８に記載の有機エレクトロルミネッセンス素子。
【請求項１０】
前記電極片は、前記基板の複数の端部に設けられ、
前記基板の前記複数の端部のうちの全部の端部の位置における前記基板の側部に、前記絶縁バリア体が設けられていることを特徴とする、請求項８に記載の有機エレクトロルミネッセンス素子。
【請求項１１】
前記絶縁バリア体と前記封止材との間に、樹脂が充填されていることを特徴とする、請求項６又は７に記載の有機エレクトロルミネッセンス素子。
【請求項１２】
前記電極片は、少なくとも前記基板に向かって延伸する前記延伸部の外部側表面が絶縁被覆体で被覆されていることを特徴とする、請求項１に記載の有機エレクトロルミネッセンス素子。
【請求項１３】
前記絶縁被覆体は、厚みが０．１ｍｍ以上であることを特徴とする、請求項１２に記載の有機エレクトロルミネッセンス素子。
【請求項１４】
前記絶縁被覆体は、前記電極片の前記延伸部の先端よりも前記基板側にはみ出していることを特徴とする、請求項１２又は１３に記載の有機エレクトロルミネッセンス素子。
【国際調査報告】
2013187065.tif 000061
2013187065.tif 000062
2013187065.tif 000063
2013187065.tif 000064